(57)【要約】      （修正有）【課題】互いに異なる２つ以上の放送サービスのデータを時間領域でマルチプレクシングして同一のＲＦ信号帯域幅を介して送信できる方法及び装置を提供する。【解決手段】コードレートに応じてＬＤＰＣ（Ｌｏｗｅｒ  Ｄｅｎｓｉｔｙ  Ｐａｒｉｔｙ  Ｃｈｅｃｋ）エンコーディングしたＤＰ（Ｄａｔａ  Ｐｉｐｅ）データを、ビットインターリービング、コンステレーションマッピング、ＭＩＭＯ（Ｍｕｌｔｉｐｌｅ−Ｉｎｐｕｔ  Ｍｕｌｔｉｐｌｅ−Ｏｕｔｐｕｔ）エンコーディング、タイムインターリービング、配列して生成した信号フレームに、ＦＦＴ（Ｆａｓｔ  Ｆｏｕｒｉｅｒ  Ｔｒａｎｓｆｏｒｍ）サイズ毎に定義され、位置情報を含むＣＰセットに基づいて、ＣＰ（Ｃｏｎｔｉｎｕａｌ  Ｐｉｌｏｔ）を挿入し、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式で変調して送信する。【選択図】図２７
2018152899.tif 000002
【特許請求の範囲】
【請求項１】
放送信号送信方法であって、
ＤＰ（Ｄａｔａ  Ｐｉｐｅ）データをＬＤＰＣ（ｌｏｗｅｒ  ｄｅｎｓｉｔｙ  ｐａｒｉｔｙ  ｃｈｅｃｋ）エンコーディングするステップと、
前記ＬＤＰＣエンコーディングされたＤＰデータをビットインターリービングするステップと、
前記ビットインターリービングされたＤＰデータをコンステレーションにマッピングするステップと、
前記マッピングされたＤＰデータをタイムインターリービングするステップと、
前記タイムインターリービングされたＤＰデータを配列することによって少なくとも１つの信号フレームを生成するステップと、
ＦＦＴ（Ｆａｓｔ  Ｆｏｕｒｉｅｒ  Ｔｒａｎｓｆｏｒｍ）サイズに応じて、前記生成された信号フレームの全てのシンボルにＣＰ（Ｃｏｎｔｉｎｕａｌ  Ｐｉｌｏｔｓ）を挿入するステップであって、前記ＦＦＴサイズは８Ｋ、１６Ｋ、又は３２Ｋサイズの１つである、ステップと、
ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式によって前記生成された信号フレーム内のデータを変調するステップと、
前記変調されたデータを有する放送信号を送信するステップと、を含み、
ＣＰが前記３２Ｋ  ＦＦＴサイズ用のとき、前記ＣＰは第１サブセット及び第２サブセットを含み、前記第２サブセット中のＣＰの位置は、前記第１サブセット中のＣＰの位置に反転動作及びシフト動作を適用することによって取得され、
ＣＰが前記１６Ｋ  ＦＦＴサイズ又は前記８Ｋ  ＦＦＴサイズ用のとき、前記ＣＰの位置は前記３２Ｋ  ＦＦＴサイズ用の前記ＣＰの位置の一部に基づく、放送信号送信方法。
【請求項２】
３２Ｋ  ＦＦＴサイズ用の前記ＣＰの前記位置は、８Ｋ及び１６Ｋ  ＦＦＴサイズ用のＣＰの位置に基づく、請求項１に記載の放送信号送信方法。
【請求項３】
前記反転動作及びシフト動作は、キャリアの数−１の整数に基づいて行われる、請求項１に記載の放送信号送信方法。
【請求項４】
前記第２サブセットが生成されるとき、前記反転動作は前記シフト動作に先行する、請求項１に記載の放送信号送信方法。
【請求項５】
放送信号受信方法であって、
少なくとも１つの信号フレームを有する放送信号を受信し、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式によって前記少なくとも１つの信号フレーム内のデータを復調するステップと、
ＤＰ（Ｄａｔａ  Ｐｉｐｅ）データをデマッピングすることによって前記少なくとも１つの信号フレームをパーシングするステップと、
前記ＤＰデータをタイムデインターリービングするステップと、
前記タイムデインターリービングされたＤＰデータをデマッピングするステップと、
前記デマッピングされたＤＰデータをビットデインターリービングするステップと、
前記ビットデインターリービングされたＤＰデータをＬＤＰＣ（Ｌｏｗｅｒ  Ｄｅｎｓｉｔｙ  Ｐａｒｉｔｙ  Ｃｈｅｃｋ）デコーディングするステップと、を含み、
ＦＦＴ（Ｆａｓｔ  Ｆｏｕｒｉｅｒ  Ｔｒａｎｓｆｏｒｍ）サイズに応じて、前記少なくとも１つの信号フレームの全てのシンボルにＣＰ（Ｃｏｎｔｉｎｕａｌ  Ｐｉｌｏｔ）が含まれ、前記ＦＦＴサイズは８Ｋ、１６Ｋ、又は３２Ｋサイズの１つであり、
ＣＰが前記３２Ｋ  ＦＦＴサイズ用のとき、前記ＣＰは第１サブセット及び第２サブセットを含み、前記第２サブセット中のＣＰの位置は、前記第１サブセット中のＣＰの位置に反転動作及びシフト動作を適用することによって取得され、
ＣＰが前記１６Ｋ  ＦＦＴサイズ又は前記８Ｋ  ＦＦＴサイズ用のとき、前記ＣＰの位置は前記３２Ｋ  ＦＦＴサイズ用の前記ＣＰの位置の一部に基づく、放送信号受信方法。
【請求項６】
３２Ｋ  ＦＦＴサイズ用の前記ＣＰの前記位置は、８Ｋ及び１６Ｋ  ＦＦＴサイズ用のＣＰの位置に基づく、請求項５に記載の放送信号受信方法。
【請求項７】
前記反転動作及びシフト動作は、キャリアの数−１の整数に基づいて行われる、請求項５に記載の放送信号受信方法。
【請求項８】
前記第２サブセットが生成されるとき、前記反転動作は前記シフト動作に先行する、請求項５に記載の放送信号受信方法。
【請求項９】
放送信号送信装置であって、
ＤＰ（Ｄａｔａ  Ｐｉｐｅ）データをＬＤＰＣ（Ｌｏｗｅｒ  Ｄｅｎｓｉｔｙ  Ｐａｒｉｔｙ  Ｃｈｅｃｋ）エンコーディングするＬＤＰＣエンコーダと、
前記ＬＤＰＣエンコーディングされたＤＰデータをビットインターリービングするビットインターリーバと、
前記ビットインターリービングされたＤＰデータをコンステレーションにマッピングするマッパーと、
前記マッピングされたＤＰデータをタイムインターリービングするタイムインターリーバと、
前記タイムインターリービングされたＤＰデータを配列することによって少なくとも１つの信号フレームを生成するフレームビルダーと、
ＦＦＴ（Ｆａｓｔ  Ｆｏｕｒｉｅｒ  Ｔｒａｎｓｆｏｒｍ）サイズに応じて、前記生成された信号フレームの全てのシンボルにＣＰ（Ｃｏｎｔｉｎｕａｌ  Ｐｉｌｏｔｓ）を挿入するパイロットインサーターであって、前記ＦＦＴサイズは８Ｋ、１６Ｋ、又は３２Ｋサイズの１つである、パイロットインサーターと、
ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式によって前記生成された信号フレーム内のデータを変調するモジュレータと、
前記変調されたデータを有する放送信号を送信する送信機と、を含み、
ＣＰが前記３２Ｋ  ＦＦＴサイズ用のとき、前記ＣＰは第１サブセット及び第２サブセットを含み、前記第２サブセット中のＣＰの位置は、前記第１サブセット中のＣＰの位置に反転動作及びシフト動作を適用することによって取得され、
ＣＰが前記１６Ｋ  ＦＦＴサイズ又は前記８Ｋ  ＦＦＴサイズ用のとき、前記ＣＰの位置は前記３２Ｋ  ＦＦＴサイズ用の前記ＣＰの位置の一部に基づく、放送信号送信装置。
【請求項１０】
３２Ｋ  ＦＦＴサイズ用の前記ＣＰの前記位置は、８Ｋ及び１６Ｋ  ＦＦＴサイズ用のＣＰの位置に基づく、請求項９に記載の放送信号送信装置。
【請求項１１】
前記反転動作及びシフト動作は、キャリアの数−１の整数に基づいて行われる、請求項９に記載の放送信号送信装置。
【請求項１２】
前記第２サブセットが生成されるとき、前記反転動作は前記シフト動作に先行する、請求項９に記載の放送信号送信装置。
【請求項１３】
放送信号受信装置であって、
少なくとも１つの信号フレームを有する放送信号を受信する受信機と、
ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式によって前記少なくとも１つの信号フレーム内のデータを復調するデモジュレータと、
ＤＰ（Ｄａｔａ  Ｐｉｐｅ）データをデマッピングすることによって前記少なくとも１つの信号フレームをパーシングするフレームパーサーと、
前記ＤＰデータをタイムデインターリービングするタイムデインターリーバと、
前記タイムデインターリービングされたＤＰデータをデマッピングするデマッパーと、
前記デマッピングされたＤＰデータをビットデインターリービングするビットデインターリーバと、
前記ビットデインターリービングされたＤＰデータをＬＤＰＣ（Ｌｏｗｅｒ  Ｄｅｎｓｉｔｙ  Ｐａｒｉｔｙ  Ｃｈｅｃｋ）デコーディングするＬＤＰＣデコーダと、を含み、
ＦＦＴ（Ｆａｓｔ  Ｆｏｕｒｉｅｒ  Ｔｒａｎｓｆｏｒｍ）サイズに応じて、前記少なくとも１つの信号フレームの全てのシンボルにＣＰ（Ｃｏｎｔｉｎｕａｌ  Ｐｉｌｏｔ）が含まれ、前記ＦＦＴサイズは８Ｋ、１６Ｋ、又は３２Ｋサイズの１つであり、
ＣＰが前記３２Ｋ  ＦＦＴサイズ用のとき、前記ＣＰは第１サブセット及び第２サブセットを含み、前記第２サブセット中のＣＰの位置は、前記第１サブセット中のＣＰの位置に反転動作及びシフト動作を適用することによって取得され、
ＣＰが前記１６Ｋ  ＦＦＴサイズ又は前記８Ｋ  ＦＦＴサイズ用のとき、前記ＣＰの位置は前記３２Ｋ  ＦＦＴサイズ用の前記ＣＰの位置の一部に基づく、放送信号受信装置。
【請求項１４】
３２Ｋ  ＦＦＴサイズ用の前記ＣＰの前記位置は、８Ｋ及び１６Ｋ  ＦＦＴサイズ用のＣＰの位置に基づく、請求項１３に記載の放送信号受信装置。
【請求項１５】
前記反転動作及びシフト動作は、キャリアの数−１の整数に基づいて行われる、請求項１３に記載の放送信号受信装置。
【請求項１６】
前記第２サブセットが生成されるとき、前記反転動作は前記シフト動作に先行する、請求項１３に記載の放送信号受信装置。
【発明の詳細な説明】
【技術分野】
【０００１】
本発明は、放送信号を送信する放送信号送信装置、放送信号を受信する放送信号受信装置及び放送信号を送信し、受信する方法に関する。
【背景技術】
【０００２】
アナログ放送信号に対する送出の中断時点が近づくにつれて、デジタル放送信号を送受信するための様々な技術が開発されている。デジタル放送信号は、アナログ放送信号に比べて大容量のビデオ／オーディオデータを含むことができ、ビデオ／オーディオデータ以外にも様々な付加データを含むことができる。
【０００３】
すなわち、デジタル放送システムは、ＨＤ（Ｈｉｇｈ  Ｄｅｆｉｎｉｔｉｏｎ）級の映像、多チャネルの音響及び様々な付加サービスを提供することができる。ただし、高容量のデータ伝送のためのデータ伝送効率、送受信ネットワークのロバスト性（ｒｏｂｕｓｔｎｅｓｓ）及びモバイル受信装備を考慮したネットワークの柔軟性（ｆｌｅｘｉｂｉｌｉｔｙ）は、依然としてデジタル放送のために改善しなければならない課題である。
【発明の概要】
【発明が解決しようとする課題】
【０００４】
本発明の目的は、互いに異なる２つ以上の放送サービスを提供する放送送受信システムのデータを、時間領域でマルチプレクシングして同一のＲＦ信号帯域幅を介して送信することができる放送信号送信装置及び放送信号送信方法、及びそれに対応する放送信号受信装置及び放送信号受信方法を提供することにある。
【０００５】
本発明の他の目的は、サービスに該当するデータをコンポーネント別に分類して、それぞれのコンポーネントに該当するデータをデータパイプとして送信し、受信して処理できるようにする放送信号送信装置、放送信号受信装置、そして、放送信号を送信し、受信する方法を提供することにある。
【０００６】
本発明の更に他の目的は、放送信号をサービスするのに必要なシグナリング情報をシグナリングする放送信号送信装置、放送信号受信装置、そして、放送信号を送信し、受信する方法を提供することにある。
【課題を解決するための手段】
【０００７】
本発明の目的は、コードレートに応じてＤＰ（ｄａｔａ  ｐｉｐｅ）データをエンコーディングするステップ、前記エンコーディングされたＤＰデータを配列して少なくとも１つの信号フレームを生成するステップ、及びＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）方式によって前記生成された信号フレームでデータを変調し、前記変調されたデータを有する放送信号を送信するステップを含む放送信号送信方法であって、前記ＤＰデータをエンコーディングするステップは、前記コードレートに応じて前記ＤＰデータをＬＤＰＣ（ｌｏｗｅｒ  ｄｅｎｓｉｔｙ  ｐａｒｉｔｙ  ｃｈｅｃｋ）エンコーディングするステップ、前記ＬＤＰＣエンコーディングされたＤＰデータをビットインターリービングするステップ、前記ビットインターリービングされたＤＰデータをコンステレーションにマッピングするステップ、前記マッピングされたＤＰデータをＭＩＭＯ（ｍｕｌｔｉｐｌｅ−ｉｎｐｕｔ  ｍｕｌｔｉｐｌｅ−ｏｕｔｐｕｔ）エンコーディングするステップ、及び前記ＭＩＭＯエンコーディングされたＤＰデータをタイムインターリービングするステップを含み、前記データを変調するステップは、ＣＰ（ｃｏｎｔｉｎｕａｌ  ｐｉｌｏｔ）の位置に関する情報を含むＣＰセットに基づいて、前記生成された信号フレームでＣＰを挿入するステップを含み、前記ＣＰセットは、ＦＦＴ（ｆａｓｔ  Ｆｏｕｒｉｅｒ  ｔｒａｎｓｆｏｒｍ）サイズに基づいて定義されることを特徴とする放送信号送信方法を提供することによって達成される。
【０００８】
好ましくは、前記ＣＰセットは、コモンＣＰセット及び追加ＣＰセットを含む。
【０００９】
好ましくは、３２Ｋ ＦＦＴサイズに基づいて定義されたコモンＣＰセットでのＣＰの位置に関する情報は、１６Ｋ ＦＦＴサイズに基づいて定義されたコモンＣＰセットでのＣＰの位置に関する情報を含む。
【００１０】
好ましくは、前記コモンＣＰセットは、ノンＳＰベアリングＣＰ（ｎｏｎ  ｓｃａｔｔｅｒｅｄ  ｐｉｌｏｔ  ｂｅａｒｉｎｇ  ＣＰ）の位置に関する情報を含み、前記追加ＣＰセットは、ＳＰベアリングＣＰ（ＳＰ  ｂｅａｒｉｎｇ  ＣＰ）の位置に関する情報を含む。
【００１１】
好ましくは、前記３２Ｋ ＦＦＴサイズに基づいて定義されたコモンＣＰセットは、第１サブセット、第２サブセット、第３サブセット、第４サブセットを含み、前記第３サブセットは、前記第１サブセットをインバート（ｉｎｖｅｒｔ）及びシフトして生成し、前記第４サブセットは、前記第２サブセットをインバート及びシフトして生成する。
【００１２】
本発明の他の形態において、少なくとも１つの信号フレームを含む放送信号を受信し、ＯＦＤＭ方式によって前記少なくとも１つの信号フレームでデータを復調するステップ、ＤＰデータをデマッピングすることによって前記少なくとも１つの信号フレームをパーシングするステップ、及び前記ＤＰデータをデコーディングするステップを含む放送信号受信方法であって、前記ＤＰデータをデコーディングするステップは、前記ＤＰデータをタイムデインターリービングするステップ、前記タイムデインターリービングされたＤＰデータをＭＩＭＯデコーディングするステップ、前記ＭＩＭＯデコーディングされたＤＰデータをコンステレーションからデマッピングするステップ、前記デマッピングされたＤＰデータをビットデインターリービングするステップ、及び前記ビットデインターリービングされたＤＰデータをＬＤＰＣデコーディングするステップを含み、前記データを復調するステップは、前記少なくとも１つの信号フレームでＣＰを獲得するステップを含み、前記ＣＰは、ＣＰの位置に関する情報を含むＣＰセットに基づいて位置し、前記ＣＰセットは、ＦＦＴサイズに基づいて定義されることを特徴とする放送信号受信方法が提供される。
【００１３】
好ましくは、前記ＣＰセットは、コモンＣＰセット及び追加ＣＰセットを含む。
【００１４】
好ましくは、３２Ｋ ＦＦＴサイズに基づいて定義されたコモンＣＰセットでのＣＰの位置に関する情報は、１６Ｋ ＦＦＴサイズに基づいて定義されたコモンＣＰセットでのＣＰの位置に関する情報を含む。
【００１５】
好ましくは、前記コモンＣＰセットは、ノンＳＰベアリングＣＰの位置に関する情報を含み、前記追加ＣＰセットは、ＳＰベアリングＣＰの位置に関する情報を含む。
【００１６】
好ましくは、前記３２Ｋ ＦＦＴサイズに基づいて定義されたコモンＣＰセットは、第１サブセット、第２サブセット、第３サブセット、第４サブセットを含み、前記第３サブセットは、前記第１サブセットをインバート及びシフトして生成し、前記第４サブセットは、前記第２サブセットをインバート及びシフトして生成する。
【００１７】
本発明の他の形態において、コードレートに応じてＤＰデータをエンコーディングするように構成されたエンコーディングモジュール、前記エンコーディングされたＤＰデータを配列して少なくとも１つの信号フレームを生成するように構成されたフレーム生成モジュール、及びＯＦＤＭ方式によって前記生成された信号フレームでデータを変調し、前記変調されたデータを有する放送信号を送信するように構成されたＯＦＤＭモジュールを含む放送信号送信装置であって、前記エンコーディングモジュールは、前記コードレートに応じて前記ＤＰデータをＬＤＰＣエンコーディングするように構成されたＬＤＰＣエンコーディングモジュール、前記ＬＤＰＣエンコーディングされたＤＰデータをビットインターリービングするように構成されたビットインターリービングモジュール、前記ビットインターリービングされたＤＰデータをコンステレーションにマッピングするように構成されたマッピングモジュール、前記マッピングされたＤＰデータをＭＩＭＯエンコーディングするように構成されたＭＩＭＯエンコーディングモジュール、及び前記ＭＩＭＯエンコーディングされたＤＰデータをタイムインターリービングするように構成されたタイムインターリービングモジュールを含み、前記ＯＦＤＭモジュールは、ＣＰの位置に関する情報を含むＣＰセットに基づいて、前記生成された信号フレームでＣＰを挿入するようにさらに構成され、前記ＣＰセットは、ＦＦＴサイズに基づいて定義されることを特徴とする、放送信号送信装置が提供される。
【００１８】
好ましくは、前記ＣＰセットは、コモンＣＰセット及び追加ＣＰセットを含む。
【００１９】
好ましくは、３２Ｋ ＦＦＴサイズに基づいて定義されたコモンＣＰセットでのＣＰの位置に関する情報は、１６Ｋ ＦＦＴサイズに基づいて定義されたコモンＣＰセットでのＣＰの位置に関する情報を含む。
【００２０】
好ましくは、前記コモンＣＰセットは、ノンＳＰベアリングＣＰの位置に関する情報を含み、前記追加ＣＰセットは、ＳＰベアリングＣＰの位置に関する情報を含む。
【００２１】
好ましくは、前記３２Ｋ ＦＦＴサイズに基づいて定義されたコモンＣＰセットは、第１サブセット、第２サブセット、第３サブセット、第４サブセットを含み、前記第３サブセットは、前記第１サブセットをインバート及びシフトして生成し、前記第４サブセットは、前記第２サブセットをインバート及びシフトして生成する。
【００２２】
本発明の他の形態において、少なくとも１つの信号フレームを含む放送信号を受信し、ＯＦＤＭ方式によって前記少なくとも１つの信号フレームでデータを復調するように構成されたＯＦＤＭモジュール、ＤＰデータをデマッピングすることによって前記少なくとも１つの信号フレームをパーシングするように構成されたパーシングモジュール、及び前記ＤＰデータをデコーディングするように構成されたデコーディングモジュールを含む放送信号受信装置であって、前記デコーディングモジュールは、前記ＤＰデータをタイムデインターリービングするように構成されたタイムデインターリービングモジュール、前記タイムデインターリービングされたＤＰデータをＭＩＭＯデコーディングするように構成されたＭＩＭＯデコーディングモジュール、前記ＭＩＭＯデコーディングされたＤＰデータをコンステレーションからデマッピングするように構成されたデマッピングモジュール、前記デマッピングされたＤＰデータをビットデインターリービングするように構成されたビットデインターリービングモジュール、及び前記ビットデインターリービングされたＤＰデータをＬＤＰＣデコーディングするように構成されたＬＤＰＣデコーディングモジュールを含み、前記ＯＦＤＭモジュールは、前記少なくとも１つの信号フレームでＣＰを獲得するようにさらに構成され、前記ＣＰは、ＣＰの位置に関する情報を含むＣＰセットに基づいて位置し、前記ＣＰセットは、ＦＦＴサイズに基づいて定義されることを特徴とする放送信号受信装置が提供される。
【００２３】
好ましくは、前記ＣＰセットは、コモンＣＰセット及び追加ＣＰセットを含む。
【００２４】
好ましくは、３２Ｋ ＦＦＴサイズに基づいて定義されたコモンＣＰセットでのＣＰの位置に関する情報は、１６Ｋ ＦＦＴサイズに基づいて定義されたコモンＣＰセットでのＣＰの位置に関する情報を含む。
【００２５】
好ましくは、前記コモンＣＰセットは、ノンＳＰベアリングＣＰの位置に関する情報を含み、前記追加ＣＰセットは、ＳＰベアリングＣＰの位置に関する情報を含む。
【００２６】
好ましくは、前記３２Ｋ ＦＦＴサイズに基づいて定義されたコモンＣＰセットは、第１サブセット、第２サブセット、第３サブセット、第４サブセットを含み、前記第３サブセットは、前記第１サブセットをインバート及びシフトして生成し、前記第４サブセットは、前記第２サブセットをインバート及びシフトして生成する。
【発明の効果】
【００２７】
本発明は、様々な放送サービスを提供するために、サービスの特性に応じてデータを処理することによって、サービスやサービスコンポーネント別にＱｏＳを調節することができる。
【００２８】
本発明は、様々な放送サービスを同一のＲＦ信号帯域幅を介して伝送することによって、伝送上の柔軟性（ｆｌｅｘｉｂｉｌｉｔｙ）を確保することができる。
【００２９】
本発明は、ＭＩＭＯ（ｍｕｌｔｉｐｌｅ−ｉｎｐｕｔ  ｍｕｌｔｉｐｌｅ−ｏｕｔｐｕｔ）システムを使用することによって、データ伝送効率を高め、放送信号送受信のロバスト性（ｒｏｂｕｓｔｎｅｓｓ）を増加させることができる。
【００３０】
本発明によれば、モバイル受信装備または室内環境でもデジタル放送信号を誤りなしに受信可能な放送信号の送受信方法及び装置を提供することができる。
【図面の簡単な説明】
【００３１】
本明細書に添付される図面は、本発明に対する理解を提供するためのものであって、本発明の多様な実施形態を示し、明細書の記載と共に本発明の原理を説明するためのものである。
【図１】本発明の一実施例に係る次世代放送サービス（ｆｕｔｕｒｅ  ｂｒｏａｄｃａｓｔ  ｓｅｒｖｉｃｅ）のための放送信号送信装置の構造を示す図である。
【図２】本発明の一実施例に係るインプットフォーマッティング（ｉｎｐｕｔ  ｆｏｒｍａｔｔｉｎｇ）モジュールを示す図である。
【図３】本発明の他の実施例に係るインプットフォーマッティングモジュールを示す図である。
【図４】本発明の更に他の実施例に係るインプットフォーマッティングモジュールを示す図である。
【図５】本発明の一実施例に係るコーディングアンドモジュレーション（ｃｏｄｉｎｇ  ＆  ｍｏｄｕｌａｔｉｏｎ）モジュールを示す図である。
【図６】本発明の一実施例に係るフレームストラクチャ（ｆｒａｍｅ  ｓｔｒｕｃｔｕｒｅ）モジュールを示す図である。
【図７】本発明の一実施例に係るウェーブフォームジェネレーション（ｗａｖｅｆｏｒｍ  ｇｅｎｅｒａｔｉｏｎ）モジュールを示す図である。
【図８】本発明の一実施例に係る次世代放送サービスのための放送信号受信装置の構造を示す図である。
【図９】本発明の一実施例に係るシンクロナイゼーションアンドデモジュレーション（ｓｙｎｃｈｒｏｎｉｚａｔｉｏｎ  ＆  ｄｅｍｏｄｕｌａｔｉｏｎ）モジュールを示す図である。
【図１０】本発明の一実施例に係るフレームパーシング（ｆｒａｍｅ  ｐａｒｓｉｎｇ）モジュールを示す図である。
【図１１】本発明の一実施例に係るデマッピングアンドデコーディング（ｄｅｍａｐｐｉｎｇ  ＆  ｄｅｃｏｄｉｎｇ）モジュールを示す図である。
【図１２】本発明の一実施例に係るアウトプットプロセッサ（ｏｕｔｐｕｔ  ｐｒｏｃｅｓｓｏｒ）を示す図である。
【図１３】本発明の他の実施例に係るアウトプットプロセッサ（ｏｕｔｐｕｔ  ｐｒｏｃｅｓｓｏｒ）を示す図である。
【図１４】本発明の他の実施例に係るコーディングアンドモジュレーション（ｃｏｄｉｎｇ  ＆  ｍｏｄｕｌａｔｉｏｎ）モジュールを示す図である。
【図１５】本発明の他の実施例に係るデマッピングアンドデコーディング（ｄｅｍａｐｐｉｎｇ  ＆  ｄｅｃｏｄｉｎｇ）モジュールを示す図である。
【図１６】本発明の他の実施例に係るウェーブフォームジェネレーションモジュール及びシンクロナイゼーションアンドデモジュレーションモジュールを示した図である。
【図１７】本発明の一実施例に係るＳＰが含まれているＣＰ（ＣＰ  ｂｅａｒｉｎｇ  ＳＰ）及びＳＰが含まれていないＣＰ（ＣＰ  ｎｏｔ  ｂｅａｒｉｎｇ  ＳＰ）の定義を示した図である。
【図１８】本発明の一実施例に係るレファレンスインデックステーブルを示した図である。
【図１９】ポジションマルチプレクシング方法を用いたＣＰパターン生成方法＃１において、レファレンスインデックステーブルを構成する概念を示した図である。
【図２０】本発明の一実施例に係るポジションマルチプレクシング方法を用いたＣＰパターン生成方法＃１において、レファレンスインデックステーブルの生成方法を示した図である。
【図２１】本発明の一実施例に係るポジションマルチプレクシング方法を用いたＣＰパターン生成方法＃２において、レファレンスインデックステーブルを構成する概念を示した図である。
【図２２】ポジションマルチプレクシング方法を用いたＣＰパターン生成方法＃２において、レファレンスインデックステーブルの生成方法を示した図である。
【図２３】本発明の一実施例に係るポジションマルチプレクシング方法を用いたＣＰパターン生成方法＃３において、レファレンスインデックステーブルの生成方法を示した図である。
【図２４】パターン反転方法を用いたＣＰパターン生成方法＃１において、レファレンスインデックステーブルを構成する概念を示した図である。
【図２５】本発明の一実施例に係るパターン反転方法を用いたＣＰパターン生成方法＃１において、レファレンスインデックステーブルの生成方法を示した図である。
【図２６】本発明の一実施例に係るパターン反転方法を用いたＣＰパターン生成方法＃２において、レファレンスインデックステーブルを構成する概念を示した図である。
【図２７】本発明の一実施例に係る放送信号送信方法を示した図である。
【図２８】本発明の一実施例に係る放送信号受信方法を示した図である。
【発明を実施するための形態】
【００３２】
以下、添付の図面に例が図示された本発明の好ましい実施例について詳細に説明する。添付の図面を参照して提供される詳細な説明は、本発明の実施例を説明するためのものであり、本発明によって実現できる実施例のみを示すためのものではない。以下の詳細な説明は、本発明の十分な理解を提供するために具体的な内容を含む。ただし、本発明がこのような具体的な内容なしにも実行可能であるということは当業者に自明である。
【００３３】
本発明で使用される用語は、当分野で広く使用される一般的な用語から選択したが、一部の用語は、出願人によって任意に選択された用語もあり、その意味は、必要に応じて以下に詳細に説明されている。したがって、本発明は、単純な用語の名称や意味ではなく、その用語に意図された意味に基づいて理解されなければならない。
【００３４】
本発明は、次世代放送サービスのための放送信号を送受信する装置及び方法を提供する。本発明の一実施例に係る次世代放送サービスは、地上波放送サービス、モバイル放送サービス及びＵＨＤＴＶサービスなどを含む概念である。本発明は、上述した次世代放送サービスのための放送信号を非ＭＩＭＯ（ｎｏｎ−ＭＩＭＯ、Ｍｕｌｔｉ  Ｉｎｐｕｔ  Ｍｕｌｔｉ  Ｏｕｔｐｕｔ）方式またはＭＩＭＯ方式で処理することを一実施例とすることができる。本発明の一実施例に係る非ＭＩＭＯ方式は、ＭＩＳＯ（Ｍｕｌｔｉ  Ｉｎｐｕｔ  Ｓｉｎｇｌｅ  Ｏｕｔｐｕｔ）、ＳＩＳＯ（Ｓｉｎｇｌｅ  Ｉｎｐｕｔ  Ｓｉｎｇｌｅ  Ｏｕｔｐｕｔ）方式などを含むことができる。
【００３５】
以下で、ＭＩＳＯ又はＭＩＭＯ方式は、説明の便宜のため、２つのアンテナを使用するものとして説明するが、このような本発明は、２つ以上のアンテナを使用するシステムに適用されてもよい。
【００３６】
図１は、本発明の一実施例に係る次世代放送サービスのための放送信号送信装置の構造を示す図である。
【００３７】
本発明の一実施例に係る次世代放送サービスのための放送信号送信装置は、インプットフォーマッティングモジュール１０００、コーディングアンドモジュレーションモジュール１１００、フレームストラクチャモジュール１２００、ウェーブフォームジェネレーションモジュール１３００及びシグナリングジェネレーションモジュール１４００を含むことができる。以下、放送信号送信装置の各モジュールの動作について説明する。
【００３８】
図１に示したように、本発明の一実施例に係る次世代放送サービスのための放送信号送信装置は、入力信号として、ＭＰＥＧ−ＴＳ（ｍｏｖｉｎｇ  ｐｉｃｔｕｒｅ  ｅｘｐｅｒｔｓ  ｇｒｏｕｐ−ｔｒａｎｓｐｏｒｔ  ｓｔｒｅａｍ）、ＩＰ（Ｉｎｔｅｒｎｅｔ  ｐｒｏｔｏｃｏｌ）ストリーム（ｖ４／ｖ６）、そして、ＧＳ（ｇｅｎｅｒｉｃ  ｓｔｒｅａｍ）を受信することができる。また、放送信号送信装置は、入力信号を構成する各ストリームの構成に関する管理情報（ｍａｎａｇｅｍｅｎｔ  ｉｎｆｏｒｍａｔｉｏｎ）を受信し、受信した管理情報を参照して最終的なフィジカルレイヤ信号（ｐｈｙｓｉｃａｌ  ｌａｙｅｒ  ｓｉｇｎａｌ）を生成することができる。
【００３９】
本発明の一実施例に係るインプットフォーマッティングモジュール１０００は、入力されたストリームを、コーディング及びモジュレーションを行うための基準、またはサービス又はサービスコンポーネント基準によって分類し、複数のロジカルデータパイプ（ｌｏｇｉｃａｌ  ｄａｔａ  ｐｉｐｅｓ）（又は、データパイプまたはＤＰデータ）として出力することができる。データパイプは、フィジカルレイヤのロジカルチャネル（ｌｏｇｉｃａｌ  ｃｈａｎｎｅｌ）であって、サービスデータまたは関連するメタデータを伝送することができる。また、データパイプは、１つ又は複数のサービスまたはサービスコンポーネントを伝送することができる。また、各データパイプを介して伝送されるデータをＤＰデータと呼ぶことができる。
【００４０】
また、本発明の一実施例に係るインプットフォーマッティングモジュール１０００は、それぞれのデータパイプを、コーディング及びモジュレーションを行うために必要なブロック単位に分け、伝送効率を高めたり、スケジューリングを行うために必要な過程を行うことができる。インプットフォーマッティングモジュール１０００の具体的な内容は後述する。
【００４１】
本発明の一実施例に係るコーディングアンドモジュレーションモジュール１１００は、インプットフォーマッティングモジュール１０００から入力されたそれぞれのデータパイプに対してＦＥＣ（ｆｏｒｗａｒｄ  ｅｒｒｏｒ  ｃｏｒｒｅｃｔｉｏｎ）エンコーディングを行うことで、伝送チャネルで発生し得るエラーを放送信号受信装置が訂正（ｃｏｒｒｅｃｔｉｏｎ）できるようにする。また、本発明の一実施例に係るコーディングアンドモジュレーションモジュール１１００は、ＦＥＣ出力ビットデータをシンボルデータに転換し、シンボルデータに対してインターリービングを行うことで、チャネルによるバーストエラー（ｂｕｒｓｔ  ｅｒｒｏｒ）を訂正することができる。図１に示したように、２つ以上のＴｘアンテナを介してデータを伝送するために、本発明の一実施例に係るコーディングアンドモジュレーションモジュール１１００は、処理したデータを、各アンテナ出力のためのデータ経路（ｄａｔａ  ｐａｔｈ）に分けて出力することができる。
【００４２】
本発明の一実施例に係るフレームストラクチャモジュール１２００は、コーディングアンドモジュレーションモジュール１１００から出力されたデータを信号フレームにマッピングすることができる。本発明の一実施例に係るフレームストラクチャモジュール１２００は、インプットフォーマッティングモジュール１０００から出力されたスケジューリング情報を用いてマッピングを行うことができ、追加的なダイバーシティ利得（ｄｉｖｅｒｓｉｔｙ  ｇａｉｎ）を得るために、信号フレーム内のデータに対してインターリービングを行うことができる。
【００４３】
本発明の一実施例に係るウェーブフォームジェネレーションモジュール１３００は、フレームストラクチャモジュール１２００から出力された信号フレームを、伝送可能な形態の信号に変換させることができる。この場合、本発明の一実施例に係るウェーブフォームジェネレーションモジュール１３００は、プリアンブルシグナル（またはプリアンブル）を送信装置のディテクション（ｄｅｔｅｃｔｉｏｎ）のための信号に挿入し、伝送チャネルを推定して歪曲を補償するためのレファレンス信号（ｒｅｆｅｒｅｎｃｅ  ｓｉｇｎａｌ）を信号に挿入することができる。また、本発明の一実施例に係るウェーブフォームジェネレーションモジュール１３００は、多重経路受信によるチャネル遅延拡散（ｃｈａｎｎｅｌ  ｄｅｌａｙ  ｓｐｒｅａｄ）による影響を相殺させるために、ガードインターバル（ｇｕａｒｄ  ｉｎｔｅｒｖａｌ）をおいて当該区間に特定のシーケンスを挿入することができる。また、本発明の一実施例に係るウェーブフォームジェネレーションモジュール１３００は、付加的に出力信号のＰＡＰＲ（ｐｅａｋ−ｔｏ−ａｖｅｒａｇｅ  ｐｏｗｅｒ  ｒａｔｉｏ）のような信号特性を考慮して、効率的な伝送に必要な過程を行うことができる。
【００４４】
本発明の一実施例に係るシグナリングジェネレーションモジュール１４００は、入力された管理情報、及びインプットフォーマッティングモジュール１０００、コーディングアンドモジュレーションモジュール１１００及びフレームストラクチャモジュール１２００で発生した情報を用いて、最終的なフィジカルレイヤシグナリング（ｐｈｙｓｉｃａｌ  ｌａｙｅｒ  ｓｉｇｎａｌｉｎｇ）情報を生成する。したがって、本発明の一実施例に係る受信装置は、シグナリング情報を復号化して、受信された信号をデコーディングすることができる。
【００４５】
上述したように、本発明の一実施例に係る次世代放送サービスのための放送信号送信装置は、地上波放送サービス、モバイル放送サービス及びＵＨＤＴＶサービスなどを提供することができる。したがって、本発明の一実施例に係る次世代放送サービスのための放送信号送信装置は、互いに異なるサービスのための信号を時間領域でマルチプレクシングして伝送することができる。
【００４６】
図２乃至図４は、本発明の一実施例に係るインプットフォーマッティングモジュール１０００を示す図である。以下、各図面について説明する。
【００４７】
図２は、本発明の一実施例に係るインプットフォーマッティングモジュールを示す図である。図２は、インプット信号がシングルインプットストリームである場合のインプットフォーマッティングモジュールを示す。
【００４８】
図２に示したように、本発明の一実施例に係るインプットフォーマッティングモジュールは、モードアダプテーションモジュール２０００及びストリームアダプテーションモジュール２１００を含むことができる。
【００４９】
図２に示したように、モードアダプテーションモジュール２０００は、インプットインターフェース（ｉｎｐｕｔ  ｉｎｔｅｒｆａｃｅ）ブロック２０１０、ＣＲＣ−８エンコーダ（ＣＲＣ−８  ｅｎｃｏｄｅｒ）ブロック２０２０及びＢＢヘッダー挿入（ＢＢ  ｈｅａｄｅｒ  ｉｎｓｅｒｔｉｏｎ）ブロック２０３０を含むことができる。以下、モードアダプテーションモジュール２０００の各ブロックについて説明する。
【００５０】
インプットインターフェースブロック２０１０は、入力されたシングルインプットストリームを、それぞれが後でＦＥＣ（ＢＣＨ／ＬＤＰＣ）を行うためのベースバンド（ｂａｓｅｂａｎｄ、ＢＢ）フレームの長さを有するデータに分けて出力することができる。
【００５１】
ＣＲＣ−８エンコーダブロック２０２０は、ＢＢフレームデータに対してＣＲＣエンコーディングを行ってリダンダンシーデータ（ｒｅｄｕｎｄａｎｃｙ  ｄａｔａ）を追加することができる。
【００５２】
ＢＢヘッダー挿入ブロック２０３０は、モードアダプテーションタイプ（Ｍｏｄｅ  Ａｄａｐｔａｔｉｏｎ  Ｔｙｐｅ、（ＴＳ／ＧＳ／ＩＰ））、ユーザパケット長（Ｕｓｅｒ  Ｐａｃｋｅｔ  Ｌｅｎｇｔｈ）、データフィールド長（Ｄａｔａ  Ｆｉｅｌｄ  Ｌｅｎｇｔｈ）、ユーザパケットシンクバイト（Ｕｓｅｒ  Ｐａｃｋｅｔ  Ｓｙｎｃ  Ｂｙｔｅ）、データフィールド内にあるユーザパケットシンクバイトのスタートアドレス（Ｓｔａｒｔ  Ａｄｄｒｅｓｓ  ｏｆ  Ｕｓｅｒ  Ｐａｃｋｅｔ  Ｓｙｎｃ  Ｂｙｔｅ  ｉｎ  Ｄａｔａ  Ｆｉｅｌｄ）、ハイエフィシエンシモードインジケーター（Ｈｉｇｈ  Ｅｆｆｉｃｉｅｎｃｙ  Ｍｏｄｅ  Ｉｎｄｉｃａｔｏｒ）、インプットストリーム同期化フィールド（Ｉｎｐｕｔ  Ｓｔｒｅａｍ  Ｓｙｎｃｈｒｏｎｉｚａｔｉｏｎ  Ｆｉｅｌｄ）などの情報を含むヘッダーをＢＢフレームデータに挿入することができる。
【００５３】
図２に示したように、ストリームアダプテーションモジュール２１００は、パディング挿入（Ｐａｄｄｉｎｇ  ｉｎｓｅｒｔｉｏｎ）ブロック２１１０及びＢＢスクランブラ（ｓｃｒａｍｂｌｅｒ）ブロック２１２０を含むことができる。以下、ストリームアダプテーションモジュール２１００の各ブロックについて説明する。
【００５４】
パディング挿入ブロック２１１０は、モードアダプテーションモジュール２０００から入力されたデータが、ＦＥＣエンコーディングに必要な入力データ長よりも小さい場合、そのデータが入力データ長を有するようにパディングビットを挿入し、挿入されたパディングビットを含むデータを出力することができる。
【００５５】
ＢＢスクランブラブロック２１２０は、入力されたビットストリームをＰＲＢＳ（Ｐｓｅｕｄｏ  Ｒａｎｄｏｍ  Ｂｉｎａｒｙ  Ｓｅｑｕｅｎｃｅ）でＸＯＲ演算してランダム化（ｒａｎｄｏｍｉｚｅ）することができる。
【００５６】
上述したブロックは、設計者の意図に応じて省略されたり、類似又は同一の機能を有する他のブロックによって代替されてもよい。
【００５７】
図２に示したように、インプットフォーマッティングモジュールは、最終的にデータパイプをコーディングアンドモジュレーションモジュールに出力することができる。
【００５８】
図３は、本発明の他の実施例に係るインプットフォーマッティングモジュールを示す図である。図３は、インプット信号がマルチプルインプットストリーム（ｍｕｌｔｉｐｌｅ  ｉｎｐｕｔ  ｓｔｒｅａｍｓ）である場合のインプットフォーマッティングモジュールのモードアダプテーションモジュール３０００を示す図である。
【００５９】
マルチプルインプットストリームを処理するためのインプットフォーマッティングモジュールのモードアダプテーションモジュール３０００は、マルチプルインプットストリームを独立に処理することができる。
【００６０】
図３に示したように、マルチプルインプットストリームをそれぞれ処理するためのモードアダプテーションモジュール３０００は、インプットインターフェースブロック、インプットストリームシンクロナイザ（ｉｎｐｕｔ  ｓｔｒｅａｍ  ｓｙｎｃｈｒｏｎｉｚｅｒ）ブロック３１００、補償遅延（ｃｏｍｐｅｎｓａｔｉｎｇ  ｄｅｌａｙ）ブロック３２００、ヌルパケット削除（ｎｕｌｌ  ｐａｃｋｅｔ  ｄｅｌｅｔｉｏｎ）ブロック３３００、ＣＲＣ−８エンコーダブロック及びＢＢヘッダー挿入ブロックを含むことができる。以下、モードアダプテーションモジュール３０００の各ブロックについて説明する。
【００６１】
インプットインターフェースブロック、ＣＲＣ−８エンコーダブロック及びＢＢヘッダー挿入ブロックの動作は、図２で説明した通りであるので省略する。
【００６２】
インプットストリームシンクロナイザブロック３１００は、ＩＳＣＲ（Ｉｎｐｕｔ  Ｓｔｒｅａｍ  Ｃｌｏｃｋ  Ｒｅｆｅｒｅｎｃｅ）情報を伝送して、放送信号受信装置がＴＳあるいはＧＳを復元するのに必要なタイミング情報を生成することができる。
【００６３】
補償遅延ブロック３２００は、送信装置によるタイミング情報を含むデータの処理によるデータパイプ間の遅延が発生した場合、放送信号受信装置で入力データに同期を合わせることができるように入力データを遅延させて出力することができる。
【００６４】
ヌルパケット削除ブロック３３００は、不必要に伝送される入力ヌルパケットを入力データから削除し、ヌルパケットが除去された位置に応じて削除されたヌルパケットの個数を入力データに挿入して伝送することができる。
【００６５】
上述したブロックは、設計者の意図に応じて省略されたり、類似又は同一の機能を有する他のブロックによって代替されてもよい。
【００６６】
図４は、本発明の更に他の実施例に係るインプットフォーマッティングモジュールを示す図である。
【００６７】
具体的に、図４は、インプット信号がマルチプルインプットストリームである場合のインプットフォーマッティングモジュールのストリームアダプテーションモジュールを示す図である。
【００６８】
インプット信号がマルチプルインプットストリームである場合のインプットフォーマッティングモジュールのストリームアダプテーションモジュールは、スケジューラ（ｓｃｈｅｄｕｌｅｒ）４０００、１−フレーム遅延（１−ｆｒａｍｅ  ｄｅｌａｙ）ブロック４１００、イン−バンドシグナリング又はパディング挿入（Ｉｎ−ｂａｎｄ  ｓｉｇｎａｌｉｎｇ  ｏｒ  ｐａｄｄｉｎｇ  ｉｎｓｅｒｔｉｏｎ）ブロック４２００、フィジカルレイヤシグナリング生成（ｐｈｙｓｉｃａｌ  ｌａｙｅｒ  ｓｉｇｎａｌｉｎｇ  ｇｅｎｅｒａｔｉｏｎ）ブロック４３００及びＢＢスクランブラ（ｓｃｒａｍｂｌｅｒ）ブロック４４００を含むことができる。以下、ストリームアダプテーションモジュールの各ブロックの動作について説明する。
【００６９】
スケジューラ４０００は、デュアル極性（ｄｕａｌ  ｐｏｌａｒｉｔｙ）を含む多重アンテナを使用するＭＩＭＯシステムのためのスケジューリングを行うことができる。また、スケジューラ４０００は、図１で説明したコーディングアンドモジュレーションモジュール内のビットトゥセルデマックス（ｂｉｔ−ｔｏ−ｃｅｌｌ  ｄｅｍｕｘ）ブロック、セルインターリーバ（ｃｅｌｌ  ｉｎｔｅｒｌｅａｖｅｒ）ブロック、タイムインターリーバ（ｔｉｍｅ  ｉｎｔｅｒｌｅａｖｅｒ）ブロックなどの各アンテナ経路のための信号処理ブロックに使用されるパラメータを発生させることができる。
【００７０】
１−フレーム遅延ブロック４１００は、データパイプ内に挿入されるイン−バンドシグナリング情報のために、次のフレームに対するスケジューリング情報が現在のフレームに伝送され得るように、入力データを１つの信号フレームだけ遅延させることができる。
【００７１】
イン−バンドシグナリング又はパディング挿入ブロック４２００は、１つの伝送フレームだけ遅延されたデータに、遅延されていないフィジカルレイヤシグナリング（ｐｈｙｓｉｃａｌ  ｌａｙｅｒ  ｓｉｇｎａｌｉｎｇ、ＰＬＳ）−ダイナミックシグナリング（ｄｙｎａｍｉｃ  ｓｉｇｎａｌｉｎｇ）情報を挿入することができる。この場合、イン−バンドシグナリング又はパディング挿入ブロック４２００は、パディングのための空間がある場合にパディングビットを挿入したり、イン−バンドシグナリング情報をパディング空間に挿入することができる。また、スケジューラ４０００は、イン−バンドシグナリングとは別個に、現在のフレームに対するＰＬＳ−ダイナミックシグナリング情報を出力することができる。したがって、後述するセルマッパー（ｃｅｌｌ  ｍａｐｐｅｒ）は、スケジューラ４０００で出力したスケジューリング情報に従って入力セルをマッピングすることができる。
【００７２】
フィジカルレイヤシグナリング生成ブロック４３００は、イン−バンドシグナリング情報を除いて、伝送フレームのプリアンブルシンボル（ｐｒｅａｍｂｌｅ  ｓｙｍｂｏｌ）やスプレッディングされてデータシンボル（ｄａｔａ  ｓｙｍｂｏｌ）などに伝送されるフィジカルレイヤシグナリングデータを生成することができる。この場合、本発明の一実施例に係るフィジカルレイヤシグナリングデータは、シグナリング情報と呼ぶことができる。また、本発明の一実施例に係るフィジカルレイヤシグナリングデータは、ＰＬＳ−プレ（ｐｒｅ）情報とＰＬＳ−ポスト（ｐｏｓｔ）情報とに分離できる。ＰＬＳ−プレ情報は、ＰＬＳ−ポスト情報をデコーディングするのに必要なパラメータ及びスタティックＰＬＳシグナリングデータ（ｓｔａｔｉｃ  ＰＬＳ  ｓｉｇｎａｌｉｎｇ  ｄａｔａ）を含むことができ、ＰＬＳ−ポスト情報は、データパイプをデコーディングするのに必要なパラメータを含むことができる。データパイプをデコーディングするのに必要なパラメータは、スタティックＰＬＳシグナリングデータ（ｓｔａｔｉｃ  ＰＬＳ  ｓｉｇｎａｌｉｎｇ  ｄａｔａ）とダイナミックＰＬＳシグナリングデータ（ｄｙｎａｍｉｃ  ＰＬＳ  ｓｉｇｎａｌｉｎｇ  ｄａｔａ）とに分離できる。スタティックＰＬＳシグナリングデータは、スーパーフレームに含まれた全てのフレームに共通に適用され得るパラメータであって、スーパーフレーム単位で変更され得る。ダイナミックＰＬＳシグナリングデータは、スーパーフレームに含まれたフレーム毎に異ならせて適用され得るパラメータであって、フレーム単位で変更され得る。したがって、受信装置は、ＰＬＳ−プレ情報をデコーディングしてＰＬＳ−ポスト情報を獲得し、ＰＬＳ−ポスト情報をデコーディングして所望のデータパイプをデコーディングすることができる。
【００７３】
ＢＢスクランブラブロック４４００は、ウェーブフォームジェネレーションブロック（ｗａｖｅｆｏｒｍ  ｇｅｎｅｒａｔｉｏｎ  ｂｌｏｃｋ）の出力信号のＰＡＰＲ値が低くなるようにＰＲＢＳを発生させ、入力ビットストリームとＸＯＲ演算して出力することができる。図４に示したように、ＢＢスクランブラブロック４４００のスクランブリングは、データパイプとＰＬＳ情報の両方に対して適用され得る。
【００７４】
上述したブロックは、設計者の意図に応じて省略されたり、類似又は同一の機能を有する他のブロックによって代替されてもよい。
【００７５】
図４に示したように、ストリームアダプテーションモジュールは、最終的に各データパイプをコーディングアンドモジュレーションモジュールに出力することができる。
【００７６】
図５は、本発明の一実施例に係るコーディングアンドモジュレーションモジュールを示す図である。
【００７７】
図５のコーディングアンドモジュレーションモジュールは、図１で説明したコーディングアンドモジュレーションモジュールの一実施例に該当する。
【００７８】
上述したように、本発明の一実施例に係る次世代放送サービスのための放送信号送信装置は、地上波放送サービス、モバイル放送サービス及びＵＨＤＴＶサービスなどを提供することができる。
【００７９】
本発明の一実施例に係る次世代放送サービスのための放送信号送信装置が提供しようとするサービスの特性に応じてＱｏＳ（ｑｕａｌｉｔｙ  ｏｆ  ｓｅｒｖｉｃｅ）が異なるので、各サービスに対応するデータが処理される方式が変わらなければならない。したがって、本発明の一実施例に係るコーディングアンドモジュレーションモジュールは、入力されたデータパイプに対して、それぞれの経路別にＳＩＳＯ、ＭＩＳＯ及びＭＩＭＯ方式を独立に適用して処理することができる。結果的に、本発明の一実施例に係る次世代放送サービスのための放送信号送信装置は、各データパイプを介して伝送するサービスやサービスコンポーネント別にＱｏＳを調節することができる。
【００８０】
したがって、本発明の一実施例に係るコーディングアンドモジュレーションモジュールは、ＳＩＳＯ方式のための第１ブロック５０００、ＭＩＳＯ方式のための第２ブロック５１００、ＭＩＭＯ方式のための第３ブロック５２００及びＰＬＳ−プレ／ポスト情報を処理するための第４ブロック５３００を含むことができる。図５に示されたコーディングアンドモジュレーションモジュールは一実施例に過ぎず、設計者の意図に応じて、コーディングアンドモジュレーションモジュールは、第１ブロック５０００及び第４ブロック５３００のみを含んでいてもよく、第２ブロック５１００及び第４ブロック５３００のみを含んでいてもよく、第３ブロック５２００及び第４ブロック５３００のみを含んでいてもよい。すなわち、設計者の意図に応じて、コーディングアンドモジュレーションモジュールは、各データパイプを同一又は異ならせて処理するためのブロックを含むことができる。
【００８１】
以下、コーディングアンドモジュレーションモジュールの各ブロックについて説明する。
【００８２】
第１ブロック５０００は、入力されたデータパイプをＳＩＳＯ方式によって処理し、ＦＥＣエンコーダ（ｅｎｃｏｄｅｒ）ブロック５０１０、ビットインターリーバ（ｂｉｔ  ｉｎｔｅｒｌｅａｖｅｒ）ブロック５０２０、ビットトゥセルデマックス（ｂｉｔ  ｔｏ  ｃｅｌｌ  ｄｅｍｕｘ）ブロック５０３０、コンステレーションマッパー（ｃｏｎｓｔｅｌｌａｔｉｏｎ  ｍａｐｐｅｒ）ブロック５０４０、セルインターリーバ（ｃｅｌｌ  ｉｎｔｅｒｌｅａｖｅｒ）ブロック５０５０及びタイムインターリーバ（ｔｉｍｅ  ｉｎｔｅｒｌｅａｖｅｒ）ブロック５０６０を含むことができる。
【００８３】
ＦＥＣエンコーダブロック５０１０は、入力されたデータパイプに対してＢＣＨエンコーディング及びＬＤＰＣ（ｌｏｗ  ｄｅｎｓｉｔｙ  ｐａｒｉｔｙ  ｃｈｅｃｋ）エンコーディングを行ってリダンダンシーを追加し、受信装置が伝送チャネル上の誤りを訂正できるようにする。
【００８４】
ビットインターリーバブロック５０２０は、ＦＥＣエンコーディングが行われたデータパイプのビットストリームをインターリービング規則に従ってインターリービングして、伝送チャネル上で発生し得るバーストエラーに対してロバスト性を有するように処理することができる。したがって、ＱＡＭシンボルにディープフェージング（ｄｅｅｐ  ｆａｄｉｎｇ）あるいはイレイジャー（ｅｒａｓｕｒｅ）が加えられた場合、各ＱＡＭシンボルにはインターリービングされたビットがマッピングされているので、全コードワード（ｃｏｄｅｗｏｒｄ）ビットのうち連続したビットに誤りが発生することを防止することができる。
【００８５】
ビットトゥセルデマックスブロック５０３０は、入力されたビットストリームの順序及びコンステレーションマッピング規則を全て考慮して、ＦＥＣブロック内の各ビットが適切なロバスト性（ｒｏｂｕｓｔｎｅｓｓ）を有して伝送され得るように入力ビットストリームの順序を決定することができる。
【００８６】
また、ビットインターリーバブロック５０２０は、ＦＥＣエンコーダブロック５０１０とコンステレーションマッパーブロック５０４０との間に位置し、放送信号受信装置のＬＤＰＣデコーディングを考慮して、コンステレーションマッパーの互いに異なる信頼値及び最適の値を有するビット位置に、ＦＥＣエンコーダブロック５０１０によって行われるＬＤＰＣエンコーディングの出力ビットを連結させることができる。したがって、ビットトゥセルデマックスブロック５０３０は、類似又は同一の機能を有するブロックによって代替されてもよい。
【００８７】
コンステレーションマッパーブロック５０４０は、入力されたビットワード（ｂｉｔ  ｗｏｒｄ）を１つのコンステレーションにマッピングすることができる。この場合、コンステレーションマッパーブロック５０４０は、追加的にローテーションアンドＱ−ディレイ（ｒｏｔａｔｉｏｎ  ＆  Ｑ−ｄｅｌａｙ）を行うことができる。すなわち、コンステレーションマッパーブロック５０４０は、入力されたコンステレーションをローテーション角（ｒｏｔａｔｉｏｎ  ａｎｇｌｅ）に応じてローテーションした後、イン−フェーズ（Ｉｎ−ｐｈａｓｅ）成分とＱ−フェーズ（Ｑｕａｄｒａｔｕｒｅ−ｐｈａｓｅ）成分とに分けた後、Ｑ−フェーズ成分のみを任意の値だけディレイさせることができる。その後、コンステレーションマッパーブロック５０４０は、コンステレーションを、ペアになったイン−フェーズ成分とＱ−フェーズ成分を用いて新しいコンステレーションに再マッピングすることができる。
【００８８】
また、コンステレーションマッパーブロック５０４０は、最適のコンステレーションポイントを見つけるために、コンステレーションポイントを２次元平面上で移動させることができる。この過程を通じて、コーディングアンドモジュレーションモジュール１１００の能力を最適化することができる。また、コンステレーションマッパーブロック５０４０は、ＩＱバランスドコンステレーションポイント及びローテーションを用いて、前述した動作を行うことができる。コンステレーションマッパーブロック５０４０は、類似又は同一の機能を有するブロックによって代替されてもよい。
【００８９】
セルインターリーバブロック５０５０は、一つのＦＥＣブロックに該当するセルをランダムにインターリービングして出力し、各ＦＥＣブロックに該当するセルが互いに異なる順序で出力されるようにすることができる。
【００９０】
タイムインターリーバブロック５０６０は、多数のＦＥＣブロックに属するセルをインターリービングして出力することができる。したがって、ＦＥＣブロックに該当するセルは、タイムインターリービングデプス（ｔｉｍｅ  ｉｎｔｅｒｌｅａｖｉｎｇ  ｄｅｐｔｈ）だけの区間内に分散されて伝送されるので、ダイバーシティ利得（ｄｉｖｅｒｓｉｔｙ  ｇａｉｎ）を獲得することができる。
【００９１】
第２ブロック５１００は、入力されたデータパイプをＭＩＳＯ処理し、第１ブロック５０００と同様に、ＦＥＣエンコーダブロック、ビットインターリーバブロック、ビットトゥセルデマックスブロック、コンステレーションマッパーブロック、セルインターリーバブロック及びタイムインターリーバブロックを含むことができるが、ＭＩＳＯプロセシング（ｐｒｏｃｅｓｓｉｎｇ）ブロック５１１０をさらに含むという点で異なる。第２ブロック５１００は、第１ブロック５０００と同様に、入力動作からタイムインターリーバ動作まで同一の役割の過程を行うので、同一のブロックについての説明は省略する。
【００９２】
ＭＩＳＯプロセシングブロック５１１０は、入力されたセルに対して、伝送ダイバーシティ（ｔｒａｎｓｍｉｔ  ｄｉｖｅｒｓｉｔｙ）を与えるＭＩＳＯエンコーディングマトリックス（ｅｎｃｏｄｉｎｇ  ｍａｔｒｉｘ）に従ってエンコーディングを行い、ＭＩＳＯプロセシングされたデータを２つの経路を介して出力することができる。本発明の一実施例に係るＭＩＳＯプロセシングは、ＯＳＴＢＣ（ｏｒｔｈｏｇｏｎａｌ  ｓｐａｃｅ  ｔｉｍｅ  ｂｌｏｃｋ  ｃｏｄｉｎｇ）／ＯＳＦＢＣ（ｏｒｔｈｏｇｏｎａｌ  ｓｐａｃｅ  ｆｒｅｑｕｅｎｃｙ  ｂｌｏｃｋ  ｃｏｄｉｎｇ、いわゆるＡｌａｍｏｕｔｉ  ｃｏｄｉｎｇ）を含むことができる。
【００９３】
第３ブロック５２００は、入力されたデータパイプをＭＩＭＯ処理し、図５に示したように、第２ブロック５１００と同様に、ＦＥＣエンコーダブロック、ビットインターリーバブロック、ビットトゥセルデマックスブロック、コンステレーションマッパーブロック、セルインターリーバブロック及びタイムインターリーバブロックを含むことができるが、ＭＩＭＯプロセシングブロック５２２０を含むという点でデータ処理過程が異なる。
【００９４】
すなわち、第３ブロック５２００の場合、ＦＥＣエンコーダブロック及びビットインターリーバブロックは、第１及び２ブロック５０００，５１００と機能は異なるが、基本的な役割は同一である。
【００９５】
ビットトゥセルデマックスブロック５２１０は、ＭＩＭＯプロセシングの入力数と同じ数の出力ビットストリームを生成し、ＭＩＭＯプロセシングのためのＭＩＭＯ経路を介して出力することができる。この場合、ビットトゥセルデマックスブロック５２１０は、ＬＤＰＣとＭＩＭＯプロセシングの特性を考慮して、受信装置のデコーディング性能を最適化するように設計することができる。
【００９６】
コンステレーションマッパーブロック、セルインターリーバブロック、タイムインターリーバブロックも、機能は異なり得るが、基本的な役割は第１及び２ブロック５０００，５１００で説明したものと同一である。また、図５に示したように、コンステレーションマッパーブロック、セルインターリーバブロック、タイムインターリーバブロックは、ＭＩＭＯプロセシングのためのＭＩＭＯ経路の数だけ存在し得る。この場合、コンステレーションマッパーブロック、セルインターリーバブロック、タイムインターリーバブロックは、各経路を介して入力されるデータに対して、それぞれ同一あるいは独立に動作することができる。
【００９７】
ＭＩＭＯプロセシングブロック５２２０は、２つの入力セルに対してＭＩＭＯエンコーディングマトリックスを使用してＭＩＭＯプロセシングを行い、ＭＩＭＯプロセシングされたデータを２つの経路を介して出力することができる。本発明の一実施例に係るＭＩＭＯエンコーディングマトリックスは、空間多重化（ｓｐａｔｉａｌ  ｍｕｌｔｉｐｌｅｘｉｎｇ）、ゴールデンコード（Ｇｏｌｄｅｎ  ｃｏｄｅ）、フルレートフルダイバーシティコード（Ｆｕｌｌ−ｒａｔｅ  ｆｕｌｌ  ｄｉｖｅｒｓｉｔｙ  ｃｏｄｅ）、線形分散符号（Ｌｉｎｅａｒ  ｄｉｓｐｅｒｓｉｏｎ  ｃｏｄｅ）などを含むことができる。
【００９８】
第４ブロック５３００は、ＰＬＳ−プレ／ポスト情報を処理するためのブロックであって、ＳＩＳＯ又はＭＩＳＯプロセシングを行うことができる。
【００９９】
第４ブロック５３００に含まれたビットインターリーバブロック、ビットトゥセルデマックスブロック、コンステレーションマッパーブロック、セルインターリーバブロック、タイムインターリーバブロック及びＭＩＳＯプロセシングブロックなどは、上述した第２ブロック５１００に含まれたブロックと機能は異なり得るが、基本的な役割は同一である。
【０１００】
第４ブロック５３００に含まれたショートニング／パンクチャリング（ｓｈｏｒｔｅｎｉｎｇ／ｐｕｎｃｔｕｒｉｎｇ）されたＦＥＣエンコーダブロック５３１０は、入力データの長さがＦＥＣエンコーディングを行うのに必要な長さよりも短い場合に備えたＰＬＳ経路のためのＦＥＣエンコーディング方式を用いてＰＬＳデータを処理することができる。具体的には、ショートニング／パンクチャリングされたＦＥＣエンコーダブロック５３１０は、入力ビットストリームに対してＢＣＨエンコーディングを行い、ノーマルＬＤＰＣ（ｎｏｒｍａｌ  ＬＤＰＣ）エンコーディングに必要な所望の入力ビットストリームの長さだけゼロパディング（ｚｅｒｏ  ｐａｄｄｉｎｇ）を行い、ＬＤＰＣエンコーディングを行った後、パディングしたゼロ値を除去して、エフェクティブコードレート（ｅｆｆｅｃｔｉｖｅ  ｃｏｄｅｒａｔｅ）がデータパイプレートと同一又は低くなるようにパリティービットをパンクチャリングすることができる。
【０１０１】
第１ブロック５０００乃至第４ブロック５３００に含まれたブロックは、設計者の意図に応じて省略されたり、類似又は同一の機能を有する他のブロックによって代替されてもよい。
【０１０２】
図５に示したように、コーディングアンドモジュレーションモジュールは、各経路別に処理されたデータパイプ、ＰＬＳ−プレ情報、ＰＬＳ−ポスト情報をフレームストラクチャモジュールに出力することができる。
【０１０３】
図６は、本発明の一実施例に係るフレームストラクチャモジュールを示す図である。
【０１０４】
図６に示されたフレームストラクチャモジュールは、図１で説明したフレームストラクチャモジュール１２００の一実施例に該当する。
【０１０５】
本発明の一実施例に係るフレームストラクチャブロックは、少なくとも１つのセルマッパー（ｃｅｌｌ−ｍａｐｐｅｒ）６０００、少なくとも１つのディレイ補償（ｄｅｌａｙ  ｃｏｍｐｅｎｓａｔｉｏｎ）モジュール６１００及び少なくとも１つのブロックインターリーバ（ｂｌｏｃｋ  ｉｎｔｅｒｌｅａｖｅｒ）６２００を含むことができる。セルマッパー６０００、ディレイ補償モジュール６１００及びブロックインターリーバ６２００の数は、設計者の意図に応じて変更可能である。以下、フレームストラクチャブロックの各モジュールについて説明する。
【０１０６】
セルマッパー６０００は、コーディングアンドモジュレーションモジュールから出力されたＳＩＳＯ、ＭＩＳＯまたはＭＩＭＯ処理されたデータパイプに対応するセル、データパイプ間に共通に適用され得るコモンデータ（ｃｏｍｍｏｎ  ｄａｔａ）に対応するセル、ＰＬＳ−プレ／ポスト情報に対応するセルを、スケジューリング情報に従って信号フレームに割り当てる（配列する）ことができる。コモンデータは、全部又は一部のデータパイプ間に共通に適用され得るシグナリング情報を意味し、特定のデータパイプを介して伝送することができる。コモンデータを伝送するデータパイプをコモンデータパイプ（ｃｏｍｍｏｎ  ｄａｔａ  ｐｉｐｅ）と呼ぶことができ、これは、設計者の意図に応じて変更可能である。
【０１０７】
本発明の一実施例に係る放送信号送信装置が２つの出力アンテナを使用し、上述したＭＩＳＯプロセシングにおいてアラモウチコーディング（Ａｌａｍｏｕｔｉ  ｃｏｄｉｎｇ）を使用する場合、アラモウチコーディングによる直交性（ｏｒｔｈｏｇｏｎａｌｉｔｙ）を維持するために、セルマッパー６０００はペアワイズセルマッピング（ｐａｉｒ−ｗｉｓｅ  ｃｅｌｌ  ｍａｐｐｉｎｇ）を行うことができる。すなわち、セルマッパー６０００は、入力セルに対して連続した２つのセルを１つの単位で処理してフレームにマッピング（配列）することができる。したがって、各アンテナの出力経路に該当する入力経路内のペアになったセルは、伝送フレーム内で互いに隣接する位置に割り当てられ（配列され）得る。
【０１０８】
ディレイ補償ブロック６１００は、次の伝送フレームに対する入力ＰＬＳデータセルを１つのフレームだけディレイし、現在の伝送フレームに該当するＰＬＳデータを獲得することができる。この場合、現在のフレームに該当するＰＬＳデータは、現在の信号フレーム内のプリアンブルパートを介して伝送され得、次の信号フレームに対するＰＬＳデータは、現在の信号フレーム内のプリアンブルパートまたは現在の信号フレームの各データパイプ内のイン−バンドシグナリングを介して伝送され得る。これは、設計者の意図に応じて変更可能である。
【０１０９】
ブロックインターリーバ６２００は、信号フレームの単位となる伝送ブロック内のセルをインターリービングすることによって、追加的なダイバーシティ利得を獲得することができる。また、ブロックインターリーバ６２００は、上述したペアワイズマッピングが行われた場合、入力セルに対して、連続した２つのセルを１つの単位として処理してインターリービングを行うことができる。したがって、ブロックインターリーバ６２００から出力されるセルは、同一の２つの連続したセルになり得る。
【０１１０】
ペアワイズマッピング及びペアワイズインターリービング（ｐａｉｒ−ｗｉｓｅ  ｉｎｔｅｒｌｅａｖｉｎｇ）が行われる場合、少なくとも１つのセルマッパーと少なくとも１つのブロックインターリーバは、それぞれの経路を介して入力されるデータに対して同一に動作したり、あるいは独立に動作することができる。
【０１１１】
上述したブロックは、設計者の意図に応じて省略されたり、類似又は同一の機能を有する他のブロックによって代替されてもよい。
【０１１２】
図６に示したように、フレームストラクチャモジュールは、少なくとも１つの信号フレームをウェーブフォームジェネレーションモジュールに出力することができる。
【０１１３】
図７は、本発明の一実施例に係るウェーブフォームジェネレーションモジュールを示す図である。
【０１１４】
図７に示されたウェーブフォームジェネレーションモジュールは、図１で説明したウェーブフォームジェネレーションモジュール１３００の一実施例に該当する。
【０１１５】
本発明の一実施例に係るウェーブフォームジェネレーションモジュールは、図６で説明したフレームストラクチャモジュールから出力された信号フレームの入力を受け、出力するためのアンテナの数だけ信号フレームを変調して伝送することができる。
【０１１６】
具体的には、図７に示されたウェーブフォームジェネレーションモジュールは、ｍ個のＴｘアンテナを使用する放送信号送信装置のウェーブフォームジェネレーションモジュールの実施例であって、ｍ個の経路だけ入力されたフレームを変調して出力するためのｍ個の処理ブロックを含むことができる。ｍ個の処理ブロックは、全て同一の処理過程を行うことができる。以下では、ｍ個の処理ブロックのうち最初の処理ブロック７０００の動作について説明する。
【０１１７】
最初の処理ブロック７０００は、レファレンス信号挿入及びＰＡＰＲリダクション（ｒｅｆｅｒｅｎｃｅ  ｓｉｇｎａｌ  ｉｎｓｅｒｔｉｏｎ  ＆  ＰＡＰＲ  ｒｅｄｕｃｔｉｏｎ）ブロック７１００、インバースウェーブフォームトランスフォーム（Ｉｎｖｅｒｓｅ  ｗａｖｅｆｏｒｍ  ｔｒａｎｓｆｏｒｍ）ブロック７２００、ＰＡＰＲリダクション（ＰＡＰＲ  ｒｅｄｕｃｔｉｏｎ  ｉｎ  ｔｉｍｅ）ブロック７３００、ガードシーケンス挿入（Ｇｕａｒｄ  ｓｅｑｕｅｎｃｅ  ｉｎｓｅｒｔｉｏｎ）ブロック７４００、プリアンブル挿入（ｐｒｅａｍｂｌｅ  ｉｎｓｅｒｔｉｏｎ）ブロック７５００、ウェーブフォームプロセシング（ｗａｖｅｆｏｒｍ  ｐｒｏｃｅｓｓｉｎｇ）ブロック７６００、その他のシステム挿入（ｏｔｈｅｒ  ｓｙｓｔｅｍ  ｉｎｓｅｒｔｉｏｎ）ブロック７７００及びＤＡＣ（ｄｉｇｉｔａｌ  ａｎａｌｏｇ  ｃｏｎｖｅｒｔｅｒ）ブロック７８００を含むことができる。
【０１１８】
レファレンス信号挿入及びＰＡＰＲリダクションブロック７１００は、各信号ブロック毎に定められた位置にレファレンス信号を挿入し、時間ドメインでのＰＡＰＲ値を低下させるためにＰＡＰＲリダクションスキーム（ｒｅｄｕｃｔｉｏｎ  ｓｃｈｅｍｅ）を適用することができる。本発明の一実施例に係る放送送受信システムがＯＦＤＭシステムである場合、レファレンス信号挿入及びＰＡＰＲリダクションブロック７１００は、アクティブサブキャリア（ａｃｔｉｖｅ  ｓｕｂｃａｒｒｉｅｒ）の一部を使用せずに保存する方法を用いることができる。また、レファレンス信号挿入及びＰＡＰＲリダクションブロック７１００は、放送送受信システムに応じてＰＡＰＲリダクションスキームを選択的な動作として使用しなくてもよい。
【０１１９】
インバースウェーブフォームトランスフォームブロック７２００は、伝送チャネルの特性とシステム構造を考慮して、伝送効率及びフレキシビリティが向上する方式で入力信号をトランスフォームすることができる。本発明の一実施例に係る放送送受信システムがＯＦＤＭシステムである場合、インバースウェーブフォームトランスフォームブロック７２００は、逆ＦＦＴオペレーション（Ｉｎｖｅｒｓｅ  ＦＦＴ  ｏｐｅｒａｔｉｏｎ）を使用して周波数領域の信号を時間領域の信号に変換する方式を用いることができる。本発明の一実施例に係る放送送受信システムがシングルキャリアシステム（ｓｉｎｇｌｅ  ｃａｒｒｉｅｒ  ｓｙｓｔｅｍ）である場合、インバースウェーブフォームトランスフォームブロック７２００はウェーブフォームジェネレーションモジュール内で使用されなくてもよい。
【０１２０】
ＰＡＰＲリダクションブロック７３００は、入力された信号に対して、時間領域でＰＡＰＲを低下させるための方法を適用することができる。本発明の一実施例に係る放送送受信システムがＯＦＤＭシステムである場合、ＰＡＰＲリダクションブロック７３００は、簡単に最大振幅（ｐｅａｋ  ａｍｐｌｉｔｕｄｅ）をクリッピング（ｃｌｉｐｐｉｎｇ）する方法を用いてもよい。また、ＰＡＰＲリダクションブロック７３００は、選択的なブロックであって、本発明の一実施例に係る放送送受信システムで使用されなくてもよい。
【０１２１】
ガードシーケンス挿入ブロック７４００は、伝送チャネルの遅延拡散（ｄｅｌａｙ  ｓｐｒｅａｄ）による影響を最小化するために、隣接する信号ブロック間にガードインターバル（ｇｕａｒｄ  ｉｎｔｅｒｖａｌ）をおき、必要に応じて特定のシーケンスを挿入することができる。したがって、受信装置は、同期化やチャネル推定を容易に行うことができる。本発明の一実施例に係る放送送受信システムがＯＦＤＭシステムである場合、ガードシーケンス挿入ブロック７４００は、ＯＦＤＭシンボルのガードインターバル区間にサイクリックプレフィックス（ｃｙｃｌｉｃ  ｐｒｅｆｉｘ）を挿入してもよい。
【０１２２】
プリアンブル挿入ブロック７５００は、受信装置がターゲットシステム信号（ｔａｒｇｅｔ  ｓｙｓｔｅｍ  ｓｉｇｎａｌ）を迅速且つ効率的に獲得できるように送受信装置間の約束された既知のタイプ（ｋｎｏｗｎ  ｔｙｐｅ）の信号（プリアンブル又はプリアンブルシンボル）を伝送信号に挿入することができる。本発明の一実施例に係る放送送受信システムがＯＦＤＭシステムである場合、プリアンブル挿入ブロック７５００は、多数のＯＦＤＭシンボルで構成された信号フレームを定義し、毎信号フレームの開始部分にプリアンブルシンボルを挿入することができる。すなわち、プリアンブルは、基本的なＰＬＳデータを伝送することができ、フレームの開始部分に位置することができる。
【０１２３】
ウェーブフォームプロセシングブロック７６００は、入力ベースバンド信号に対して、チャネルの伝送特性に合わせてウェーブフォームプロセシングを行うことができる。ウェーブフォームプロセシングブロック７６００は、伝送信号の帯域外放出（ｏｕｔ−ｏｆ−ｂａｎｄ  ｅｍｉｓｓｉｏｎ）の基準を得るためにＳＲＲＣ（ｓｑｕａｒｅ−ｒｏｏｔ−ｒａｉｓｅｄ  ｃｏｓｉｎｅ）フィルタリング（ｆｉｌｔｅｒｉｎｇ）を行ってもよい。本発明の一実施例に係る放送送受信システムがマルチキャリアシステムである場合、ウェーブフォームプロセシングブロック７６００は使用されなくてもよい。
【０１２４】
その他のシステム挿入ブロック７７００は、同一のＲＦ信号帯域幅内に放送サービスを提供する互いに異なる２つ以上の放送送受信システムのデータを共に伝送できるように、複数の放送送受信システムの信号を時間領域でマルチプレクシングすることができる。この場合、互いに異なる２つ以上の放送送受信システムとは、互いに異なる放送サービスを伝送するシステムを意味する。互いに異なる放送サービスは、地上波放送サービス、モバイル放送サービスなどを意味し得る。また、各放送サービスと関連するデータは、互いに異なるフレームを介して伝送され得る。
【０１２５】
ＤＡＣブロック７８００は、入力デジタル信号をアナログ信号に変換して出力することができる。ＤＡＣブロック７８００から出力された信号は、ｍ個の出力アンテナを介して伝送され得る。本発明の一実施例に係る伝送アンテナは、垂直（ｖｅｒｔｉｃａｌ）又は水平極性（ｈｏｒｉｚｏｎｔａｌ  ｐｏｌａｒｉｔｙ）を有することができる。
【０１２６】
上述したブロックは、設計者の意図に応じて省略されたり、類似又は同一の機能を有する他のブロックによって代替されてもよい。
【０１２７】
図８は、本発明の一実施例に係る次世代放送サービスのための放送信号受信装置の構造を示す図である。
【０１２８】
本発明の一実施例に係る次世代放送サービスのための放送信号受信装置は、図１で説明した次世代放送サービスのための放送信号送信装置に対応し得る。本発明の一実施例に係る次世代放送サービスのための放送信号受信装置は、シンクロナイゼーションアンドデモジュレーション（ｓｙｎｃｈｒｏｎｉｚａｔｉｏｎ  ＆  ｄｅｍｏｄｕｌａｔｉｏｎ）モジュール８０００、フレームパーシング（ｆｒａｍｅ  ｐａｒｓｉｎｇ）モジュール８１００、デマッピングアンドデコーディング（ｄｅｍａｐｐｉｎｇ  ＆  ｄｅｃｏｄｉｎｇ）モジュール８２００、アウトプットプロセッサ（ｏｕｔｐｕｔ  ｐｒｏｃｅｓｓｏｒ）８３００及びシグナリングデコーディング（ｓｉｇｎａｌｉｎｇ  ｄｅｃｏｄｉｎｇ）モジュール８４００を含むことができる。以下、放送信号受信装置の各モジュールの動作について説明する。
【０１２９】
シンクロナイゼーションアンドデモジュレーションモジュール８０００は、ｍ個の受信アンテナを介して入力信号を受信し、放送信号受信装置に対応するシステムに対する信号検出及び同期化を行い、放送信号送信装置で行った方式の逆過程に該当するデモジュレーションを行うことができる。
【０１３０】
フレームパーシングモジュール８１００は、入力された信号フレームに対してパーシングし、ユーザが選択したサービスを伝送するデータを抽出することができる。フレームパーシングモジュール８１００は、放送信号送信装置でインターリービングを行った場合、これに対する逆過程としてデインターリービングを行うことができる。この場合、抽出しなければならない信号及びデータの位置は、シグナリングデコーディングモジュール８４００から出力されたデータをデコーディングして、放送信号送信装置で行ったスケジューリング情報などを復元して獲得することができる。
【０１３１】
デマッピングアンドデコーディングモジュール８２００は、入力信号をビットドメインデータに変換した後、必要に応じてデインターリービング過程を行うことができる。デマッピングアンドデコーディングモジュール８２００は、伝送効率のために適用されたマッピングに対してデマッピングを行い、伝送チャネル上で発生したエラーに対してデコーディングを通じてエラー訂正（ｅｒｒｏｒ  ｃｏｒｒｅｃｔｉｏｎ）を行うことができる。この場合、デマッピングアンドデコーディングモジュール８２００は、シグナリングデコーディングモジュール８４００から出力されたデータをデコーディングして、デマッピング及びデコーディングに必要な伝送パラメータを獲得することができる。
【０１３２】
アウトプットプロセッサ８３００は、放送信号送信装置で伝送効率を高めるために適用した様々な圧縮／信号処理過程の逆過程を行うことができる。この場合、アウトプットプロセッサ８３００は、シグナリングデコーディングモジュール８４００から出力されたデータから、必要な制御情報を獲得することができる。アウトプットプロセッサ８３００の出力は、放送信号送信装置に入力された信号に該当し、ＭＰＥＧ−ＴＳ、ＩＰストリーム（ｖ４  ｏｒ  ｖ６）及びＧＳであり得る。
【０１３３】
シグナリングデコーディングモジュール８４００は、シンクロナイゼーションアンドデモジュレーションモジュール８０００によってデモジュレートされた信号からＰＬＳ情報を獲得することができる。上述したように、フレームパーシングモジュール８１００、デマッピングアンドデコーディングモジュール８２００及びアウトプットプロセッサ８３００は、シグナリングデコーディングモジュール８４００から出力されたデータを用いて当該モジュールの機能を行うことができる。
【０１３４】
図９は、本発明の一実施例に係るシンクロナイゼーションアンドデモジュレーションモジュールを示す図である。
【０１３５】
図９に示されたシンクロナイゼーションアンドデモジュレーションモジュールは、図８で説明したシンクロナイゼーションアンドデモジュレーションモジュールの一実施例に該当する。また、図９に示されたシンクロナイゼーションアンドデモジュレーションモジュールは、図７で説明したウェーブフォームジェネレーションモジュールの逆動作を行うことができる。
【０１３６】
図９に示したように、本発明の一実施例に係るシンクロナイゼーションアンドデモジュレーションモジュールは、ｍ個のＲｘアンテナを使用する放送信号受信装置のシンクロナイゼーションアンドデモジュレーションモジュールの実施例であって、ｍ個の経路だけ入力された信号を復調するためのｍ個の処理ブロックを含むことができる。ｍ個の処理ブロックは、全て同一の処理過程を行うことができる。以下では、ｍ個の処理ブロックのうち最初の処理ブロック９０００の動作について説明する。
【０１３７】
最初の処理ブロック９０００は、チューナー９１００、ＡＤＣブロック９２００、プリアンブルディテクター（ｐｒｅａｍｂｌｅ  ｄｅｔｅｃｔｏｒ）９３００、ガードシーケンスディテクター（ｇｕａｒｄ  ｓｅｑｕｅｎｃｅ  ｄｅｔｅｃｔｏｒ）９４００、ウェーブフォームトランスフォーム（ｗａｖｅｆｏｒｍ  ｔｒａｎｓｆｏｒｍ）ブロック９５００、時間／周波数同期化（Ｔｉｍｅ／ｆｒｅｑ  ｓｙｎｃ）ブロック９６００、レファレンス信号ディテクター（ｒｅｆｅｒｅｎｃｅ  ｓｉｇｎａｌ  ｄｅｔｅｃｔｏｒ）９７００、チャネル等化部（Ｃｈａｎｎｅｌ  ｅｑｕａｌｉｚｅｒ）９８００及びインバースウェーブフォームトランスフォーム（ｉｎｖｅｒｓｅ  ｗａｖｅｆｏｒｍ  ｔｒａｎｓｆｏｒｍ）ブロック９９００を含むことができる。
【０１３８】
チューナー９１００は、所望の周波数帯域を選択し、受信した信号の大きさを補償してＡＤＣブロック９２００に出力することができる。
【０１３９】
ＡＤＣブロック９２００は、チューナー９１００から出力された信号をデジタル信号に変換することができる。
【０１４０】
プリアンブルディテクター９３００は、デジタル信号が放送信号受信装置に対応するシステムの信号であるか否かを確認するためにプリアンブル（またはプリアンブル信号又はプリアンブルシンボル）をディテクトすることができる。この場合、プリアンブルディテクター９３００は、プリアンブルを介して受信される基本的な伝送パラメータを復号することができる。
【０１４１】
ガードシーケンスディテクター９４００は、デジタル信号内のガードシーケンスをディテクトすることができる。時間／周波数同期化ブロック９６００は、ディテクトされたガードシーケンスを用いて時間／周波数同期化を行うことができ、チャネル等化部９８００は、ディテクトされたガードシーケンスを用いて受信／復元されたシーケンスを通じてチャネルを推定することができる。
【０１４２】
ウェーブフォームトランスフォームブロック９５００は、放送信号送信装置がインバースウェーブフォームトランスフォームを行った場合、これに対する逆変換過程を行うことができる。本発明の一実施例に係る放送送受信システムがマルチキャリアシステムである場合、ウェーブフォームトランスフォームブロック９５００はＦＦＴ変換過程を行うことができる。また、本発明の一実施例に係る放送送受信システムがシングルキャリアシステムである場合、受信された時間領域の信号が周波数領域で処理されたり、時間領域で処理される場合、ウェーブフォームトランスフォームブロック９５００は使用されなくてもよい。
【０１４３】
時間／周波数同期化ブロック９６００は、プリアンブルディテクター９３００、ガードシーケンスディテクター９４００、レファレンス信号ディテクター９７００の出力データを受信し、検出された信号に対して、ガードシーケンス検出、ブロックウィンドウポジショニング（ｂｌｏｃｋ  ｗｉｎｄｏｗ  ｐｏｓｉｔｉｏｎｉｎｇ）を含む時間同期化及びキャリア周波数同期化を行うことができる。このとき、周波数同期化のために、時間／周波数同期化ブロック９６００はウェーブフォームトランスフォームブロック９５００の出力信号をフィードバックすることができる。
【０１４４】
レファレンス信号ディテクター９７００は、受信されたレファレンス信号を検出することができる。したがって、本発明の一実施例に係る放送信号受信装置は、同期化を行ったり、チャネル推定（ｃｈａｎｎｅｌ  ｅｓｔｉｍａｔｉｏｎ）を行うことができる。
【０１４５】
チャネル等化部９８００は、ガードシーケンスやレファレンス信号から、各伝送アンテナから各受信アンテナまでの伝送チャネルを推定し、推定されたチャネルを用いて受信データに対するチャネル等化（ｅｑｕａｌｉｚａｔｉｏｎ）を行うことができる。
【０１４６】
インバースウェーブフォームトランスフォームブロック９９００は、同期及びチャネル推定／等化を効率的に行うためにウェーブフォームトランスフォームブロック９５００がウェーブフォームトランスフォームを行った場合、再び元の受信データドメインに復元する役割を果たすことができる。本発明の一実施例に係る放送送受信システムがシングルキャリアシステムである場合、ウェーブフォームトランスフォームブロック９５００は、同期／チャネル推定／等化を周波数領域で行うためにＦＦＴを行うことができ、インバースウェーブフォームトランスフォームブロック９９００は、チャネル等化が完了した信号に対してＩＦＦＴを行うことによって、伝送されたデータシンボルを復元することができる。本発明の一実施例に係る放送送受信システムがマルチキャリアシステムである場合、インバースウェーブフォームトランスフォームブロック９９００は使用されなくてもよい。
【０１４７】
上述したブロックは、設計者の意図に応じて省略されたり、類似又は同一の機能を有する他のブロックによって代替されてもよい。
【０１４８】
図１０は、本発明の一実施例に係るフレームパーシングモジュールを示す図である。
【０１４９】
図１０に示されたフレームパーシングモジュールは、図８で説明したフレームパーシングモジュールの一実施例に該当する。また、図１０に示されたフレームパーシングモジュールは、図６で説明したフレームストラクチャモジュールの逆動作を行うことができる。
【０１５０】
図１０に示したように、本発明の一実施例に係るフレームパーシングモジュールは、少なくとも１つのブロックデインターリーバ（ｂｌｏｃｋ  ｄｅｉｎｔｅｒｌｅａｖｅｒ）１００００及び少なくとも１つのセルデマッパー（ｃｅｌｌ  ｄｅｍａｐｐｅｒ）１０１００を含むことができる。
【０１５１】
ブロックデインターリーバ１００００は、ｍ個の受信アンテナの各データ経路に入力されてシンクロナイゼーションアンドデモジュレーションモジュールで処理されたデータに対して、各信号ブロック単位でデインターリービングを行うことができる。この場合、図８で説明したように、放送信号送信装置がペアワイズインターリービングを行った場合、ブロックデインターリーバ１００００は、各入力経路に対して連続した２つのデータを１つのペアとして処理することができる。したがって、ブロックデインターリーバ１００００は、デインターリービングを行った場合にも、連続した２つのデータを出力することができる。また、ブロックデインターリーバ１００００は、放送信号送信装置が行ったインターリービング過程の逆過程を行って元のデータ順に出力することができる。
【０１５２】
セルデマッパー１０１００は、受信された信号フレームから、コモンデータに対応するセル、データパイプに対応するセル及びＰＬＳデータに対応するセルを抽出することができる。必要な場合、セルデマッパー１０１００は、多数の部分に分散されて伝送されたデータをマージング（ｍｅｒｇｉｎｇ）し、１つのストリームとして出力することができる。図６で説明したように、放送信号送信装置で２つの連続したセル入力データが１つのペアとして処理されてマッピングされた場合、セルデマッパー１０１００は、放送信号送信装置のマッピング動作の逆過程として、連続した２つの入力セルを１つの単位として処理するペアワイズセルデマッピングを行うことができる。
【０１５３】
また、セルデマッパー１０１００は、現在のフレームを通じて受信したＰＬＳシグナリングデータに対して、それぞれＰＬＳ−プレ及びＰＬＳ−ポスト情報をそれぞれ抽出して出力することができる。
【０１５４】
上述したブロックは、設計者の意図に応じて省略されたり、類似又は同一の機能を有する他のブロックによって代替されてもよい。
【０１５５】
図１１は、本発明の一実施例に係るデマッピングアンドデコーディング（ｄｅｍａｐｐｉｎｇ  ＆  ｄｅｃｏｄｉｎｇ）モジュールを示す図である。
【０１５６】
図１１に示されたデマッピングアンドデコーディングモジュールは、図８で説明したデマッピングアンドデコーディングモジュールの一実施例に該当する。また、図１１に示されたデマッピングアンドデコーディングモジュールは、図５で説明したコーディングアンドモジュレーションモジュールの逆動作を行うことができる。
【０１５７】
上述したように、本発明の一実施例に係る放送信号送信装置のコーディングアンドモジュレーションモジュールは、入力されたデータパイプに対して、それぞれの経路別にＳＩＳＯ、ＭＩＳＯ及びＭＩＭＯ方式を独立に適用して処理することができる。したがって、図１１に示されたデマッピングアンドデコーディングモジュールは、放送信号送信装置に対応してフレームパーサーから出力されたデータをそれぞれＳＩＳＯ、ＭＩＳＯ、ＭＩＭＯ処理するためのブロックを含むことができる。
【０１５８】
図１１に示したように、本発明の一実施例に係るデマッピングアンドデコーディングモジュールは、ＳＩＳＯ方式のための第１ブロック１１０００、ＭＩＳＯ方式のための第２ブロック１１１００、ＭＩＭＯ方式のための第３ブロック１１２００、及びＰＬＳプレ／ポスト情報を処理するための第４ブロック１１３００を含むことができる。図１１に示されたデマッピングアンドデコーディングモジュールは一実施例に過ぎず、設計者の意図に応じて、デマッピングアンドデコーディングモジュールは、第１ブロック１１０００及び第４ブロック１１３００のみを含んでいてもよく、第２ブロック１１１００及び第４ブロック１１３００のみを含んでいてもよく、第３ブロック１１２００及び第４ブロック１１３００のみを含んでいてもよい。すなわち、設計者の意図に応じて、デマッピングアンドデコーディングモジュールは、各データパイプを同一又は異ならせて処理するためのブロックを含むことができる。
【０１５９】
以下、デマッピングアンドデコーディングモジュールの各ブロックについて説明する。
【０１６０】
第１ブロック１１０００は、入力されたデータパイプをＳＩＳＯ処理するためのブロックであって、タイムデインターリーバ（ｔｉｍｅ  ｄｅｉｎｔｅｒｌｅａｖｅｒ）ブロック１１０１０、セルデインターリーバ（ｃｅｌｌ  ｄｅｉｎｔｅｒｌｅａｖｅｒ）ブロック１１０２０、コンステレーションデマッパー（ｃｏｎｓｔｅｌｌａｔｉｏｎ  ｄｅｍａｐｐｅｒ）ブロック１１０３０、セルトゥビットマックス（ｃｅｌｌ−ｔｏ−ｂｉｔ  ｍｕｘ）ブロック１１０４０、ビットデインターリーバ（ｂｉｔ  ｄｅｉｎｔｅｒｌｅａｖｅｒ）ブロック１１０５０及びＦＥＣデコーダ（ｄｅｃｏｄｅｒ）ブロック１１０６０を含むことができる。
【０１６１】
タイムデインターリーバブロック１１０１０は、図５で説明したタイムインターリーバブロック５０６０の逆過程を行うことができる。すなわち、タイムデインターリーバブロック１１０１０は、時間領域でインターリービングされた入力シンボルを元の位置にデインターリービングすることができる。
【０１６２】
セルデインターリーバブロック１１０２０は、図５で説明したセルインターリーバブロック５０５０の逆過程を行うことができる。すなわち、セルデインターリーバブロック１１０２０は、１つのＦＥＣブロック内でスプレッドされたセルの位置を元の位置にデインターリービングすることができる。
【０１６３】
コンステレーションデマッパーブロック１１０３０は、図５で説明したコンステレーションマッパーブロック５０４０の逆過程を行うことができる。すなわち、コンステレーションデマッパーブロック１１０３０は、シンボルドメインの入力信号をビットドメインのデータにデマッピングすることができる。また、コンステレーションデマッパーブロック１１０３０は、ハードデシジョン（ｈａｒｄ  ｄｅｃｉｓｉｏｎ）を行い、決定されたビットデータを出力することもできる。また、コンステレーションデマッパーブロック１１０３０は、ソフトデシジョン（ｓｏｆｔ  ｄｅｃｉｓｉｏｎ）値あるいは確率的な値に該当する各ビットのＬＬＲ（ｌｏｇ−ｌｉｋｅｌｉｈｏｏｄ  ｒａｔｉｏ）を出力することができる。もし、放送信号送信装置が追加的なダイバーシティ利得を得るためにローテーションコンステレーションを適用した場合、コンステレーションデマッパーブロック１１０３０は、ローテーションコンステレーションに相応する２次元ＬＬＲデマッピング（２−Ｄｉｍｅｎｓｉｏｎａｌ  ＬＬＲ  ｄｅｍａｐｐｉｎｇ）を行うことができる。このとき、コンステレーションデマッパーブロック１１０３０は、ＬＬＲを計算するとき、放送信号送信装置でＩ又はＱ成分に対して行われたディレイ値を補償できるように計算を行うことができる。
【０１６４】
セルトゥビットマックスブロック１１０４０は、図５で説明したビットトゥセルデマックスブロック５０３０の逆過程を行うことができる。すなわち、セルトゥビットマックスブロック１１０４０は、ビットトゥセルデマックスブロック５０３０でマッピングされたビットデータを元のビットストリームの形態に復元することができる。
【０１６５】
ビットデインターリーバブロック１１０５０は、図５で説明したビットインターリーバブロック５０２０の逆過程を行うことができる。すなわち、ビットデインターリーバブロック１１０５０は、セルトゥビットマックスブロック１１０４０から出力されたビットストリームを元の順にデインターリービングすることができる。
【０１６６】
ＦＥＣデコーダブロック１１０６０は、図５で説明したＦＥＣエンコーダブロック５０１０の逆過程を行うことができる。すなわち、ＦＥＣデコーダブロック１１０６０は、ＬＤＰＣデコーディングとＢＣＨデコーディングを行うことで、伝送チャネル上で発生したエラーを訂正することができる。
【０１６７】
第２ブロック１１１００は、入力されたデータパイプをＭＩＳＯ処理するためのブロックであって、図１１に示したように、第１ブロック１１０００と同様に、タイムデインターリーバブロック、セルデインターリーバブロック、コンステレーションデマッパーブロック、セルトゥビットマックスブロック、ビットデインターリーバブロック及びＦＥＣデコーダブロックを含むことができるが、ＭＩＳＯデコーディングブロック１１１１０をさらに含むという点で異なる。第２ブロック１１１００は、第１ブロック１１０００と同様に、タイムデインターリーバから出力まで同一の役割の過程を行うので、同一のブロックについての説明は省略する。
【０１６８】
ＭＩＳＯデコーディングブロック１１１１０は、図５で説明したＭＩＳＯプロセシングブロック５１１０の逆過程を行うことができる。本発明の一実施例に係る放送送受信システムがＳＴＢＣを使用したシステムである場合、ＭＩＳＯデコーディングブロック１１１１０はアラモウチデコーディング（Ａｌａｍｏｕｔｉ  ｄｅｃｏｄｉｎｇ）を行うことができる。
【０１６９】
第３ブロック１１２００は、入力されたデータパイプをＭＩＭＯ処理するためのブロックであって、図１１に示したように、第２ブロック１１１００と同様に、タイムデインターリーバブロック、セルデインターリーバブロック、コンステレーションデマッパーブロック、セルトゥビットマックスブロック、ビットデインターリーバブロック及びＦＥＣデコーダブロックを含むことができるが、ＭＩＭＯデコーディングブロック１１２１０を含むという点でデータ処理過程が異なる。第３ブロック１１２００に含まれたタイムデインターリーバ、セルデインターリーバ、コンステレーションデマッパー、セルトゥビットマックス、ビットデインターリーバブロックの動作は、第１及び第２ブロック１１０００，１１１００に含まれた当該ブロックの動作と機能は異なり得るが、基本的な役割は同一である。
【０１７０】
ＭＩＭＯデコーディングブロック１１２１０は、ｍ個の受信アンテナの入力信号に対して、セルデインターリーバの出力データの入力を受け、図５で説明したＭＩＭＯプロセシングブロック５２２０の逆過程としてＭＩＭＯデコーディングを行うことができる。ＭＩＭＯデコーディングブロック１１２１０は、最適の復号化性能を得るためにＭＬデコーディング（Ｍａｘｉｍｕｍ  ｌｉｋｅｌｉｈｏｏｄ  ｄｅｃｏｄｉｎｇ）を行ったり、複雑度を減少させたスフィアーデコーディング（Ｓｐｈｅｒｅ  ｄｅｃｏｄｉｎｇ）を行うことができる。または、ＭＩＭＯデコーディングブロック１１２１０は、ＭＭＳＥディテクションを行ったり、反復デコーディング（ｉｔｅｒａｔｉｖｅ  ｄｅｃｏｄｉｎｇ）を共に結合して行うことによって、向上したデコーディング性能を確保することができる。
【０１７１】
第４ブロック１１３００は、ＰＬＳ−プレ／ポスト情報を処理するためのブロックであって、ＳＩＳＯ又はＭＩＳＯデコーディングを行うことができる。第４ブロック１１３００は、図５で説明した第４ブロック５３００の逆過程を行うことができる。
【０１７２】
第４ブロック１１３００に含まれたタイムデインターリーバ、セルデインターリーバ、コンステレーションデマッパー、セルトゥビットマックス、ビットデインターリーバブロックの基本的な動作は、第１〜第３ブロック１１０００，１１１００，１１２００に含まれた当該ブロックの動作と機能は異なり得るが、基本的な役割は同一である。
【０１７３】
第４ブロック１１３００に含まれたＦＥＣデコーダ（Ｓｈｏｒｔｅｎｅｄ／Ｐｕｎｃｔｕｒｅｄ  ＦＥＣ  ｄｅｃｏｄｅｒ）１１３１０は、図５で説明したＦＥＣエンコーダブロック５３１０の逆過程を行うことができる。すなわち、ＦＥＣデコーダ１１３１０は、ＰＬＳデータの長さに応じてショートニング／パンクチャリング（ｓｈｏｒｔｅｎｉｎｇ／ｐｕｎｃｔｕｒｉｎｇ）されて受信されたデータに対してデショートニング／デパンクチャリング（ｄｅ−ｓｈｏｒｔｅｎｉｎｇ／ｄｅ−ｐｕｎｃｔｕｒｉｎｇ）を行った後、ＦＥＣデコーディングを行うことができる。この場合、データパイプに使用されたＦＥＣデコーダを同一にＰＬＳデータにも使用できるので、ＰＬＳデータのみのための別途のＦＥＣデコーダハードウェアを必要としないので、システムの設計が容易であり、効率的なコーディングが可能であるという利点がある。
【０１７４】
上述したブロックは、設計者の意図に応じて省略されたり、類似又は同一の機能を有する他のブロックによって代替されてもよい。
【０１７５】
図１１に示したように、本発明の一実施例に係るデマッピングアンドデコーディングモジュールは、各経路別に処理されたデータパイプ及びＰＬＳ情報をアウトプットプロセッサに出力することができる。
【０１７６】
図１２及び図１３は、本発明の一実施例に係るアウトプットプロセッサを示す図である。
【０１７７】
図１２は、本発明の一実施例に係るアウトプットプロセッサを示す図である。図１２に示されたアウトプットプロセッサは、図８で説明したアウトプットプロセッサの一実施例に該当する。図１２に示されたアウトプットプロセッサは、デマッピングアンドデコーディングモジュールから出力されたシングルデータパイプを受信してシングルアウトプットストリームを出力するためのもので、図２で説明したインプットフォーマッティングモジュールの逆動作を行うことができる。
【０１７８】
図１２に示されたアウトプットプロセッサは、ＢＢデスクランブラ（ｄｅｓｃｒａｍｂｌｅｒ）ブロック１２０００、パディング除去（Ｐａｄｄｉｎｇ  ｒｅｍｏｖａｌ）ブロック１２１００、ＣＲＣ−８デコーダ（ＣＲＣ−８ｄｅｃｏｄｅｒ）ブロック１２２００及びＢＢフレームプロセッサ（ＢＢ  ｆｒａｍｅ  ｐｒｏｃｅｓｓｏｒ）ブロック１２３００を含むことができる。
【０１７９】
ＢＢデスクランブラブロック１２０００は、入力されたビットストリームに対して、放送信号送信装置で使用したものと同一のＰＲＢＳを発生させ、ビットストリームとＸＯＲ演算をしてデスクランブルを行うことができる。
【０１８０】
パディング除去ブロック１２１００は、放送信号送信装置で必要に応じて挿入されたパディングビットを除去することができる。
【０１８１】
ＣＲＣ−８デコーダブロック１２２００は、パディング除去ブロック１２１００から入力されたビットストリームに対してＣＲＣデコーディングを行ってブロックエラーを確認することができる。
【０１８２】
ＢＢフレームプロセッサブロック１２３００は、ＢＢフレームヘッダーを介して伝送された情報をデコーディングし、デコーディングされた情報を用いてＭＰＥＧ−ＴＳ、ＩＰストリーム（ｖ４  ｏｒ  ｖ６）またはＧＳを復元することができる。
【０１８３】
上述したブロックは、設計者の意図に応じて省略されたり、類似又は同一の機能を有する他のブロックによって代替されてもよい。
【０１８４】
図１３は、本発明の他の実施例に係るアウトプットプロセッサを示す図である。図１３に示されたアウトプットプロセッサは、図８で説明したアウトプットプロセッサの一実施例に該当する。また、図１３に示されたアウトプットプロセッサは、デマッピングアンドデコーディングモジュールから出力されたマルチプルデータパイプを受信する。マルチプルデータパイプに対するデコーディングは、複数のデータパイプに共通に適用され得るコモンデータ及びこれと関連するデータパイプをマージングしてデコーディングする過程、または、放送信号受信装置が多数のサービスあるいはサービスコンポーネント（階層映像サービス（ｓｃａｌａｂｌｅ  ｖｉｄｅｏ  ｓｅｒｖｉｃｅ）を含む）を同時にデコーディングする過程を含むことができる。
【０１８５】
図１３に示されたアウトプットプロセッサは、図１２で説明したアウトプットプロセッサの場合と同様に、ＢＢデスクランブラブロック、パディング除去ブロック、ＣＲＣ−８デコーダブロック及びＢＢフレームプロセッサブロックを含むことができる。各ブロックの動作は、図１２で説明したブロックの動作と異なり得るが、基本的な役割は同一である。
【０１８６】
図１３に示されたアウトプットプロセッサに含まれたデジッタバッファ（Ｄｅ−ｊｉｔｔｅｒ  ｂｕｆｆｅｒ）ブロック１３０００は、マルチプルデータパイプ間の同期化のために放送信号送信装置で任意に挿入されたディレイを、復元されたＴＴＯ（ｔｉｍｅ  ｔｏ  ｏｕｔｐｕｔ）パラメータによって補償することができる。
【０１８７】
ヌルパケット挿入（ｎｕｌｌ  ｐａｃｋｅｔ  ｉｎｓｅｒｔｉｏｎ）ブロック１３１００は、復元されたＤＮＰ（ｄｅｌｅｔｅｄ  ｎｕｌｌ  ｐａｃｋｅｔ）情報を参考にしてストリームから除去されたヌルパケットを復元することができ、コモンデータを出力することができる。
【０１８８】
ＴＳクロック再生成（ＴＳ  ｃｌｏｃｋ  ｒｅｇｅｎｅｒａｔｉｏｎ）ブロック１３２００は、ＩＳＣＲ（ｉｎｐｕｔ  ｓｔｒｅａｍ  ｔｉｍｅ  ｒｅｆｅｒｅｎｃｅ）情報を基準として出力パケットの時間同期を復元することができる。
【０１８９】
ＴＳ再結合（ＴＳ  ｒｅｃｏｍｂｉｎｉｎｇ）ブロック１３３００は、ヌルパケット挿入ブロック１３１００から出力されたコモンデータ及びこれと関連するデータパイプを再結合（ｒｅｃｏｍｂｉｎｉｎｇ）し、元のＭＰＥＧ−ＴＳ、ＩＰストリーム（ｖ４  ｏｒ  ｖ６）あるいはＧＳに復元することができる。ＴＴＯ、ＤＮＰ、ＩＳＣＲ情報は、ＢＢフレームヘッダーを介して獲得することができる。
【０１９０】
イン−バンドシグナリングデコーダ（ｉｎ−ｂａｎｄ  ｓｉｇｎａｌｉｎｇ  ｄｅｃｏｄｅｒ）ブロック１３４００は、データパイプの各ＦＥＣフレーム内のパディングビットフィールド（ｐａｄｄｉｎｇ  ｂｉｔ  ｆｉｅｌｄ）を介して伝送されるイン−バンドフィジカルレイヤシグナリング情報を復元して出力することができる。
【０１９１】
図１３に示されたアウトプットプロセッサは、ＰＬＳ−プレ経路とＰＬＳ−ポスト経路によって入力されるＰＬＳ−プレ情報及びＰＬＳ−ポスト情報をそれぞれＢＢデスクランブルし、デスクランブルされたデータに対してデコーディングを行って元のＰＬＳデータを復元することができる。復元されたＰＬＳデータは、放送信号受信装置内のシステムコントローラー（ｓｙｓｔｅｍ  ｃｏｎｔｒｏｌｌｅｒ）に伝達され、システムコントローラーは、放送信号受信装置のシンクロナイゼーションアンドデモジュレーションモジュール、フレームパーシングモジュール、デマッピングアンドデコーディングモジュール及びアウトプットプロセッサモジュールに必要なパラメータを供給することができる。
【０１９２】
上述したブロックは、設計者の意図に応じて省略されたり、類似又は同一の機能を有する他のブロックによって代替されてもよい。
【０１９３】
図１４は、本発明の他の実施例に係るコーディングアンドモジュレーションモジュールを示す図である。
【０１９４】
図１４に示されたコーディングアンドモジュレーションモジュールは、図１及び図５で説明したコーディングアンドモジュレーションモジュールの他の実施例に該当する。
【０１９５】
図１４に示されたコーディングアンドモジュレーションモジュールは、図５で説明したように、各データパイプを介して伝送するサービスやサービスコンポーネント別にＱｏＳを調節するために、モジュールは、ＳＩＳＯ方式のための第１ブロック１４０００、ＭＩＳＯ方式のための第２ブロック１４１００、ＭＩＭＯ方式のための第３ブロック１４２００及びＰＬＳ−プレ／ポスト情報を処理するための第４ブロック１４３００を含むことができる。また、本発明の一実施例に係るコーディングアンドモジュレーションモジュールは、上述したように、設計者の意図に応じて、各データパイプを同一又は異ならせて処理するためのブロックを含むことができる。図１４に示された第１ブロック〜第４ブロック１４０００〜１４３００は、図５で説明した第１ブロック〜第４ブロック５０００〜５３００とほぼ同一のブロックを含んでいる。
【０１９６】
しかし、第１ブロック〜第３ブロック１４０００〜１４２００に含まれたコンステレーションマッパーブロック１４０１０の機能が、図５の第１ブロック〜第３ブロック５０００〜５２００に含まれたコンステレーションマッパーブロック５０４０の機能と異なるという点、第１ブロック〜第４ブロック１４０００〜１４３００のセルインターリーバとタイムインターリーバとの間にローテーション及びＩ／Ｑインターリーバ（ｒｏｔａｔｉｏｎ  ＆  Ｉ／Ｑ  ｉｎｔｅｒｌｅａｖｅｒ）ブロック１４０２０が含まれているという点、及びＭＩＭＯ方式のための第３ブロック１４２００の構成が、図５に示されたＭＩＭＯ方式のための第３ブロック５２００の構成と異なるという点で相違する。以下では、図１４に示された第１ブロック〜第４ブロック１４０００〜１４３００と図５で説明した第１ブロック〜第４ブロック５０００〜５３００との相違点を中心に説明する。
【０１９７】
図１４に示されたコンステレーションマッパーブロック１４０１０は、入力されたビットワードをコンプレックスシンボルにマッピングすることができる。ただし、図５に示されたコンステレーションマッパーブロック５０４０とは異なり、コンステレーションローテーションを行わなくてもよい。図１４に示されたコンステレーションマッパーブロック１４０１０は、上述したように、第１ブロック〜第３ブロック１４０００，１４１００，１４２００に共通に適用され得る。
【０１９８】
ローテーション及びＩ／Ｑインターリーバブロック１４０２０は、セルインターリーバから出力されたセルインターリービングされたデータの各コンプレックスシンボルのイン−フェーズとＱ−フェーズコンポーネントを独立にインターリービングしてシンボル単位で出力することができる。ローテーション及びＩ／Ｑインターリーバブロック１４０２０の入力データ及び出力シンボルの数は２つ以上であり、これは、設計者の意図に応じて変更可能である。また、ローテーション及びＩ／Ｑインターリーバブロック１４０２０は、イン−フェーズ成分に対してはインターリービングを行わなくてもよい。
【０１９９】
ローテーション及びＩ／Ｑインターリーバブロック１４０２０は、上述したように、第１ブロック〜第４ブロック１４０００〜１４３００に共通に適用され得る。この場合、ローテーション及びＩ／Ｑインターリーバブロック１４０２０がＰＬＳ−プレ／ポスト情報を処理するための第４ブロック１４３００に適用されるか否かは、上述したプリアンブルを介してシグナリングすることができる。
【０２００】
ＭＩＭＯ方式のための第３ブロック１４２００は、図１４に示したように、Ｑ−ブロックインターリーバ（Ｑ−ｂｌｏｃｋ  ｉｎｔｅｒｌｅａｖｅｒ）ブロック１４２１０及びコンプレックスシンボル生成（ｃｏｍｐｌｅｘ  ｓｙｍｂｏｌ  ｇｅｎｅｒａｔｏｒ）ブロック１４２２０を含むことができる。
【０２０１】
Ｑ−ブロックインターリーバブロック１４２１０は、ＦＥＣエンコーダから入力されたＦＥＣエンコーディングが行われたＦＥＣブロックのパリティパートに対してパーミュテーション（ｐｅｒｍｕｔａｔｉｏｎ）を行うことができる。これを通じて、ＬＤＰＣ Ｈマトリックスのパリティパートを情報パート（ｉｎｆｏｒｍａｔｉｏｎ  ｐａｒｔ）と同一にサイクリック構造（ｃｙｃｌｉｃ  ｓｔｒｕｃｔｕｒｅ）にすることができる。Ｑ−ブロックインターリーバブロック１４２１０は、ＬＤＰＣ ＨマトリックスのＱサイズを有する出力ビットブロックの順序をパーミュテーションした後、行−列ブロックインターリービング（ｒｏｗ−ｃｏｌｕｍｎ  ｂｌｏｃｋ  ｉｎｔｅｒｌｅａｖｉｎｇ）を行って最終ビットストリームを生成することができる。
【０２０２】
コンプレックスシンボル生成ブロック１４２２０は、Ｑ−ブロックインターリーバブロック１４２１０から出力されたビットストリームの入力を受け、コンプレックスシンボルにマッピングして出力することができる。この場合、コンプレックスシンボル生成ブロック１４２２０は、少なくとも２つの経路を介してシンボルを出力することができる。これは、設計者の意図に応じて変更可能である。
【０２０３】
上述したブロックは、設計者の意図に応じて省略されたり、類似又は同一の機能を有する他のブロックによって代替されてもよい。
【０２０４】
図１４に示したように、本発明の他の実施例に係るコーディングアンドモジュレーションモジュールは、各経路別に処理されたデータパイプ、ＰＬＳ−プレ情報、ＰＬＳ−ポスト情報をフレームストラクチャモジュールに出力することができる。
【０２０５】
図１５は、本発明の他の実施例に係るデマッピングアンドデコーディングモジュールを示す図である。
【０２０６】
図１５に示されたデマッピングアンドデコーディングモジュールは、図１１で説明したデマッピングアンドデコーディングモジュールの他の実施例に該当する。また、図１５に示されたデマッピングアンドデコーディングモジュールは、図１４で説明したコーディングアンドモジュレーションモジュールの逆動作を行うことができる。
【０２０７】
図１５に示したように、本発明の他の実施例に係るデマッピングアンドデコーディングモジュールは、ＳＩＳＯ方式のための第１ブロック１５０００、ＭＩＳＯ方式のための第２ブロック１５１００、ＭＩＭＯ方式のための第３ブロック１５２００及びＰＬＳ−プレ／ポスト情報を処理するための第４ブロック１５３００を含むことができる。また、本発明の一実施例に係るデマッピングアンドデコーディングモジュールは、上述したように、設計者の意図に応じて、各データパイプを同一又は異ならせて処理するためのブロックを含むことができる。図１５に示された第１ブロック〜第４ブロック１５０００〜１５３００は、図１１で説明した第１ブロック〜第４ブロック１１０００〜１１３００とほぼ同一のブロックを含んでいる。
【０２０８】
しかし、第１ブロック〜第４ブロック１５０００〜１５３００のタイムデインターリーバとセルデインターリーバとの間にＩ／Ｑデインターリーバ及びデローテーション（Ｉ／Ｑ  ｄｅｉｎｔｅｒｌｅａｖｅｒ  ＆  ｄｅｒｏｔａｔｉｏｎ）ブロック１５０１０が含まれているという点、第１ブロック〜第３ブロック１５０００〜１５２００に含まれたコンステレーションデマッパーブロック１５０２０の機能が、図１１の第１ブロック〜第３ブロック１１０００〜１１２００に含まれたコンステレーションデマッパーブロック１１０３０の機能と異なるという点、及びＭＩＭＯ方式のための第３ブロック１５２００の構成が、図１１に示されたＭＩＭＯ方式のための第３ブロック１１２００の構成と異なるという点で相違する。以下では、図１５に示された第１ブロック〜第４ブロック１５０００〜１５３００と、図１１で説明した第１ブロック〜第４ブロック１１０００〜１１３００との相違点を中心に説明する。
【０２０９】
Ｉ／Ｑデインターリーバ及びデローテーションブロック１５０１０は、図１４で説明したローテーション及びＩ／Ｑインターリーバブロック１４０２０の逆過程を行うことができる。すなわち、Ｉ／Ｑデインターリーバ及びデローテーションブロック１５０１０は、放送信号送信装置でＩ／Ｑインターリービングされて伝送されたＩ及びＱコンポーネントに対してそれぞれデインターリービングを行うことができ、復元されたＩ／Ｑコンポーネントを有するコンプレックスシンボルを再びデローテーションして出力することができる。
【０２１０】
Ｉ／Ｑデインターリーバ及びデローテーションブロック１５０１０は、上述したように、第１ブロック〜第４ブロック１５０００〜１５３００に共通に適用され得る。この場合、Ｉ／Ｑデインターリーバ及びデローテーションブロック１５０１０がＰＬＳ−プレ／ポスト情報を処理するための第４ブロック１５３００に適用されるか否かは、上述したプリアンブルを介してシグナリングすることができる。
【０２１１】
コンステレーションデマッパーブロック１５０２０は、図１４で説明したコンステレーションマッパーブロック１４０１０の逆過程を行うことができる。すなわち、コンステレーションデマッパーブロック１５０２０は、デローテーションを行わずに、セルデインターリービングされたデータに対してデマッピングを行うことができる。
【０２１２】
ＭＩＭＯ方式のための第３ブロック１５２００は、図１５に示したように、コンプレックスシンボルパーシング（ｃｏｍｐｌｅｘ  ｓｙｍｂｏｌ  ｐａｒｓｉｎｇ）ブロック１５２１０及びＱ−ブロックデインターリーバ（Ｑ−ｂｌｏｃｋ  ｄｅｉｎｔｅｒｌｅａｖｅｒ）ブロック１５２２０を含むことができる。
【０２１３】
コンプレックスシンボルパーシングブロック１５２１０は、図１４で説明したコンプレックスシンボル生成ブロック１４２２０の逆過程を行うことができる。すなわち、コンプレックスシンボルパーシングブロック１５２１０は、コンプレックスデータシンボルをパーシングし、ビットデータにデマッピングして出力することができる。この場合、コンプレックスシンボルパーシングブロック１５２１０は、少なくとも２つの経路を介してコンプレックスデータシンボルの入力を受けることができる。
【０２１４】
Ｑ−ブロックデインターリーバブロック１５２２０は、図１４で説明したＱ−ブロックインターリーバブロック１４２１０の逆過程を行うことができる。すなわち、Ｑ−ブロックデインターリーバブロック１５２２０は、行−列デインターリービング（ｒｏｗ−ｃｏｌｕｍｎ  ｄｅｉｎｔｅｒｌｅａｖｉｎｇ）によってＱサイズのブロックを復元した後、パーミュテーション（ｐｅｒｍｕｔａｔｉｏｎ）された各ブロックの順序を元の順序通りに復元した後、パリティデインターリービングを通じてパリティビットの位置を元通りに復元して出力することができる。
【０２１５】
上述したブロックは、設計者の意図に応じて省略されたり、類似又は同一の機能を有する他のブロックによって代替されてもよい。
【０２１６】
図１５に示したように、本発明の他の実施例に係るデマッピングアンドデコーディングモジュールは、各経路別に処理されたデータパイプ及びＰＬＳ情報をアウトプットプロセッサに出力することができる。
【０２１７】
上述したように、本発明の一実施例に係る放送信号送信装置及び方法は、同一のＲＦチャネル内で互いに異なる放送送受信システムの信号をマルチプレクシングして送信することができ、本発明の一実施例に係る放送信号受信装置及び方法は、それに対応して信号を処理することができる。したがって、フレキシブル（ｆｌｅｘｉｂｌｅ）な放送送受信システムを提供することができる。
【０２１８】
図１６は、本発明の他の実施例に係るウェーブフォームジェネレーションモジュール及びシンクロナイゼーションアンドデモジュレーションモジュールを示した図である。
【０２１９】
図１６（ａ）は、他の実施例に係るウェーブフォームジェネレーションモジュールを示す。他の実施例に係るウェーブフォームジェネレーションモジュールは、前述したウェーブフォームジェネレーションモジュールに対応してもよい。他の実施例に係るウェーブフォームジェネレーションモジュールは、新たなレファレンスシグナル挿入＆ＰＡＰＲリダクション（ｒｅｆｅｒｅｎｃｅ  ｓｉｇｎａｌ  ｉｎｓｅｒｔｉｏｎ  ＆  ＰＡＰＲ  ｒｅｄｕｃｔｉｏｎ）ブロックを含むことができる。新たなレファレンスシグナル挿入＆ＰＡＰＲリダクションブロックは、前述したレファレンスシグナル挿入＆ＰＡＰＲリダクションブロックに対応してもよい。
【０２２０】
本発明は、毎シグナルブロック（ｓｉｇｎａｌ  ｂｌｏｃｋ）ごとに定められた位置に挿入されるＣＰ（ｃｏｎｔｉｎｕｏｕｓ  ｐｉｌｏｔ）パターンの生成方法を提供する。また、本発明は、少ないメモリ（ＲＯＭ）を用いてＣＰを運営する方法を提供する。本発明に係る新たなレファレンスシグナル挿入＆ＰＡＰＲリダクションブロックは、本発明が提供するＣＰパターンの生成及び運営方法によって動作することができる。
【０２２１】
図１６（ｂ）は、他の実施例に係るシンクロナイゼーションアンドデモジュレーションモジュールである。他の実施例に係るシンクロナイゼーションアンドデモジュレーションモジュールは、前述したシンクロナイゼーションアンドデモジュレーションモジュールに対応してもよい。他の実施例に係るシンクロナイゼーションアンドデモジュレーションモジュールは、新たなレファレンスシグナルディテクター（Ｒｅｆｅｒｅｎｃｅ  ｓｉｇｎａｌ  ｄｅｔｅｃｔｏｒ）を含むことができる。新たなレファレンスシグナルディテクターは、前述したレファレンスシグナルディテクターに対応してもよい。
【０２２２】
本発明に係る新たなレファレンスシグナルディテクターは、本発明が提供するＣＰの生成及び運営方法によるＣＰを用いて、受信部の動作を行うことができる。ＣＰは、受信部の同期化に用いることができる。新たなレファレンスシグナルディテクターは、受信されたレファレンスシグナルを検出し、受信機が同期化を行ったり、チャネル推定を行ったりするのに助けとなり得る。ここで、同期化は、コースオートフリークエンシーコントロール（ｃｏａｒｓｅ  ａｕｔｏ  ｆｒｅｑｕｅｎｃｙ  ｃｏｎｔｒｏｌ（ＡＦＣ））、ファインＡＦＣ（ｆｉｎｅ  ＡＦＣ）及び／又はＣＰＥ（ｃｏｍｍｏｎ  ｐｈａｓｅ  ｅｒｒｏｒ  ｃｏｒｒｅｃｔｉｏｎ）を通じて行うことができる。
【０２２３】
送信機において、ＯＦＤＭシンボルの様々なセルはレファレンス情報（ｒｅｆｅｒｅｎｃｅ  ｉｎｆｏｒｍａｔｉｏｎ）を通じて変調されてもよい。このとき、レファレンス情報は、パイロット（ｐｉｌｏｔ）と呼ぶことができる。パイロットには、ＳＰ（ｓｃａｔｔｅｒｅｄ  ｐｉｌｏｔ）、ＣＰ（ｃｏｎｔｉｎｕａｌ  ｐｉｌｏｔ）、エッジパイロット（ｅｄｇｅ  ｐｉｌｏｔ）、ＦＳＳ（Ｆｒａｍｅ  ｓｉｇｎａｌｉｎｇ  ｓｙｍｂｏｌ）パイロット、ＦＥＳ（Ｆｒａｍｅ  ｅｄｇｅ  ｓｙｍｂｏｌ）パイロットなどがあり得る。それぞれのパイロットは、パイロットタイプやパターンに応じて、特定のブーステッドパワーレベル（ｂｏｏｓｔｅｄ  ｐｏｗｅｒ  ｌｅｖｅｌ）で伝送されてもよい。
【０２２４】
ＣＰは、前述したパイロットのうちの１つであってもよい。ＣＰは、少ない量でＯＦＤＭシンボル内にランダムに分布して運営されてもよい。この場合、ＣＰの位置情報をメモリに格納するインデックステーブル（ｉｎｄｅｘ  ｔａｂｌｅ）方法が効率的であり得る。ここで、インデックステーブルは、レファレンスインデックステーブル、ＣＰセット（ＣＰ  ｓｅｔ）、ＣＰグループ（ＣＰ  ｇｒｏｕｐ）などと呼ぶことができる。ＣＰセットは、ＦＦＴサイズ及びＳＰパターンに応じて決定されてもよい。
【０２２５】
ＣＰは各フレームに挿入されてもよい。具体的には、ＣＰは、各フレームのシンボルに挿入することができる。ＣＰは、ＣＰパターンを持って挿入され、挿入過程はインデックステーブルに従って行うことができる。しかし、ＳＰパターンが多様化し、ＮＯＣ（ｎｕｍｂｅｒ  ｏｆ  ａｃｔｉｖｅ  ｃａｒｒｉｅｒ）モードが増加するに伴い、インデックステーブルの大きさが増加するという問題があり得る。
【０２２６】
本発明は、このような問題点を解決するために、相対的に少ないメモリを用いてＣＰを運営する方法を提供する。本発明は、パターン反転（ｐａｔｔｅｒｎ  ｒｅｖｅｒｓａｌ）方法及びポジションマルチプレクシング（ｐｏｓｉｔｉｏｎ  ｍｕｌｔｉｐｌｅｘｉｎｇ）方法を提供する。この方法による場合、受信機に要求されるメモリストレージ量を減少させることができる。
【０２２７】
ＣＰパターンのデザインコンセプトは、次の通りである。まず、各ＯＦＤＭシンボル内のＮＯＡ（ｎｕｍｂｅｒ  ｏｆ  ａｃｔｉｖｅ  ｄａｔａ  ｃａｒｒｉｅｒ）を一定に維持する。このとき、一定に維持されたＮＯＡは、与えられたＮＯＣ（またはＦＦＴモード）及びＳＰパターンに従うものであってもよい。
【０２２８】
ＣＰパターンをＮＯＣとＳＰパターンに基づいて変更させながら、次の２つの条件を確認することができる。２つの条件は、シグナリング情報（ｓｉｇｎａｌｉｎｇ  ｉｎｆｏｒｍａｔｉｏｎ）を減少させること、及びタイムインターリーバとキャリアマッピング（ｃａｒｒｉｅｒ  ｍａｐｐｉｎｇ）とのインタラクション（ｉｎｔｅｒａｃｔｉｏｎ）を単純化させることであり得る。
【０２２９】
その後、ＳＰ−ベアリングキャリア（ＳＰ−ｂｅａｒｉｎｇ  ｃａｒｒｉｅｒ）とノンＳＰ−ベアリングキャリア（ｎｏｎ  ＳＰ−ｂｅａｒｉｎｇ  ｃａｒｒｉｅｒ）に位置するＣＰが公平に（ｆａｉｒｌｙ）選択され得る。この選択過程は、周波数セレクティブチャネル（ｆｒｅｑｕｅｎｃｙ  ｓｅｌｅｃｔｉｖｅ  ｃｈａｎｎｅｌ）のために実行されてもよい。この選択過程は、ＣＰが、スペクトルにわたってほぼ均等な分布（ｒｏｕｇｈｌｙ  ｅｖｅｎ  ｄｉｓｔｒｉｂｕｔｉｏｎ）を有してランダムに分布するように行うことができる。ＣＰの位置は、ＮＯＣの増加に伴って共に増加することができる。これは、ＣＰの全オーバーヘッド（ｏｖｅｒｈｅａｄ）を保存するためであり得る。
【０２３０】
パターン反転方法について簡略に説明する。ＮＯＣ又はＳＰパターンにおいて使用できるＣＰパターンは、インデックステーブルに基づいて生成することができる。最も小さい値を有するＮＯＣを基準として、ＣＰの位置値をインデックステーブル化することができる。このインデックステーブルをレファレンスインデックステーブルと呼ぶことができる。このとき、ＣＰの位置値はランダムに位置してもよい。さらに大きい値を有するＮＯＣに対しては、インデックステーブルの分布パターンを反転させることによってインデックステーブルを拡張することができる。この拡張は、従来技術による単純な繰り返しによるものではなくてもよい。実施例に応じて、インデックステーブルの分布パターンを反転させる前に、サイクリックシフト（ｃｙｃｌｉｃ  ｓｈｉｆｔｉｎｇ）が行われてもよい。パターン反転方法によると、少ないメモリでもＣＰの運営が可能である。パターン反転方法は、ＮＯＣ、ＳＰモードに適用することができる。また、パターン反転方法によると、スペクトル上のＣＰの位置を均等且つランダムに分布させることができる。パターン反転方法についての詳細は後述する。
【０２３１】
ポジションマルチプレクシング方法について簡略に説明する。パターン反転方法と同様に、ＮＯＣ又はＳＰパターンにおいて使用できるＣＰパターンは、インデックステーブルに基づいて生成することができる。まず、ＣＰをランダムに位置させる位置値をインデックステーブル化することができる。このインデックステーブルをレファレンスインデックステーブルと呼ぶことができる。インデックステーブルは、全てのＮＯＣモードに利用／適用可能なように十分に大きく設計することができる。その後、任意のＮＯＣに対して、ＣＰの位置がスペクトル上で均等且つランダムに分布するように、インデックステーブルが様々な方法でマルチプレクシングされてもよい。ポジションマルチプレクシング方法についての詳細は後述する。
【０２３２】
図１７は、本発明の一実施例に係るＳＰが含まれているＣＰ（ＣＰ  ｂｅａｒｉｎｇ  ＳＰ）及びＳＰが含まれていないＣＰ（ＣＰ  ｎｏｔ  ｂｅａｒｉｎｇ  ＳＰ）の定義を示した図である。
【０２３３】
前述したパターン反転方法及びポジションマルチプレクシング方法に対する技術に先立ち、ランダムＣＰポジション発生器（ｒａｎｄｏｍ  ＣＰ  ｐｏｓｉｔｉｏｎ  ｇｅｎｅｒａｔｏｒ）について説明する。パターン反転方法及びポジションマルチプレクシング方法の場合、ランダムＣＰポジション発生器が必要になり得る。
【０２３４】
ランダムＣＰポジション発生器において、いくつかの仮定（ａｓｓｕｍｐｔｉｏｎ）が必要になり得る。まず、ＣＰ位置は、与えられたＮＯＣにおいて、ＰＮ発生器によってランダムに選択されると仮定することができる。すなわち、ＣＰ位置は、ＰＲＢＳ発生器を用いてランダムに発生してレファレンスインデックステーブルに与えられると仮定することができる。各ＯＦＤＭシンボルでのＮＯＡは一定に維持されると仮定することができる。これは、ＳＰが含まれているＣＰ（ＣＰ  ｂｅａｒｉｎｇ  ＳＰ）及びＳＰが含まれていないＣＰ（ＣＰ  ｎｏｔ  ｂｅａｒｉｎｇ  ＳＰ）を適宜選択することによって達成することができる。
【０２３５】
図１７において、彩色した部分のないＣＰは、ＳＰが含まれていないＣＰを図式化したものであり、彩色した部分を有するＣＰは、ＳＰが含まれているＣＰを図式化したものである。
【０２３６】
図１８は、本発明の一実施例に係るレファレンスインデックステーブルを示した図である。
【０２３７】
図１８に示されたレファレンスインデックステーブルは、前述した仮定を用いて生成されたレファレンスインデックステーブルの例示であり得る。レファレンスインデックステーブルは８Ｋ ＦＦＴモード（ＮＯＣ：６８１７）、ＳＰモード（Ｄｘ：２，Ｄｙ：４）を考慮した。図１８（ａ）に示したインデックステーブルは、図１８（ｂ）に示したグラフで表現することができる。
【０２３８】
図１９は、ポジションマルチプレクシング方法を用いたＣＰパターン生成方法＃１において、レファレンスインデックステーブルを構成する概念を示した図である。
【０２３９】
ポジションマルチプレクシング方法を用いたＣＰパターン生成方法＃１を説明する。
【０２４０】
レファレンスインデックステーブルを構成する場合、インデックステーブルは一定の大きさのサブインデックステーブル（ｓｕｂ  ｉｎｄｅｘ  ｔａｂｌｅ）に分けることができる。各サブインデックステーブルに対して、互いに異なるＰＮ発生器（または互いに異なるシード（ｓｅｅｄ））が使用されてＣＰ位置が生成され得る。図１９は、８、１６、３２Ｋ ＦＦＴモードを考慮した場合において、レファレンスインデックステーブルを示したものである。すなわち、８Ｋ ＦＦＴモードの場合、１つのサブインデックステーブルがＰＮ１によって生成され得る。１６Ｋ ＦＦＴモードの場合、２つのサブインデックステーブルがそれぞれＰＮ１、ＰＮ２によって生成され得る。生成されたＣＰ位置は、前述した仮定に基づいて生成されたものであり得る。
【０２４１】
例えば、１６Ｋ ＦＦＴモードをサポートするときには、ＰＮ１とＰＮ２発生器を通じて得られるＣＰ位置情報を順次配列することによって全体的なＣＰ位置を分布させることができる。また、３２Ｋ ＦＦＴモードをサポートするときには、ＰＮ３とＰＮ４発生器を通じて得られるＣＰ位置情報を追加的に配列することによって全体的なＣＰ位置を分布させることができる。
【０２４２】
これによって、ＣＰをスペクトル上で均等且つランダムに分布させることができるようになる。また、ＣＰ位置間にコリレーション特性（ｃｏｒｒｅｌａｔｉｏｎ  ｐｒｏｐｅｒｔｙ）を提供することができる。
【０２４３】
図２０は、ポジションマルチプレクシング方法を用いたＣＰパターン生成方法＃１において、レファレンスインデックステーブルの生成方法の一実施例を示した図である。
【０２４４】
本実施例において、Ｄｘ＝３、Ｄｙ＝４を有するＳＰパターンを考慮してＣＰ位置情報を発生させることができる。また、本実施例は、８Ｋ／１６Ｋ／３２Ｋ ＦＦＴモード（ＮＯＣ：１８１７／１３６３３／２７２６５）で実行することができる。
【０２４５】
ＣＰ位置値は、８Ｋ ＦＦＴモードを基本としてサブインデックステーブルに格納されてもよい。１６Ｋ ＦＦＴモード以上のＦＦＴモードをサポートする場合、サブインデックステーブルが、基本的に格納されたサブインデックステーブルに追加されてもよい。追加されるサブインデックステーブルの値は、基本的に格納されたサブインデックステーブルの値に所定の値を加算したり、基本的なサブインデックステーブルをシフトすることによって得られる。
【０２４６】
サブインデックステーブルＰＮ１、ＰＮ２、ＰＮ３の最後に与えられるＣＰ位置値は、当該サブインデックステーブルが拡張されるときに必要な値を意味し得る。すなわち、最後に与えられるＣＰ位置値は、マルチプレクシングのための値であり得る。最後に与えられるＣＰ位置値は、同図に楕円で示されている。
【０２４７】
最後に与えられるＣＰ位置値ｖは、次のように示すことができる。
【０２４８】
【数１】
2018152899.tif 000003
【０２４９】
ｖは、Ｄｘ・Ｄｙの整数倍（ｉ）で表現され得る。８Ｋ ＦＦＴモードが適用される場合、サブインデックステーブルＰＮ１の最後の位置値は適用されなくてもよい。１６Ｋ ＦＦＴモードが適用される場合、サブインデックステーブルＰＮ１の最後の位置値は適用される一方、サブインデックステーブルＰＮ２の最後の位置値は適用されなくてもよい。同様に、３２Ｋ ＦＦＴモードが適用される場合、サブインデックステーブルＰＮ１、ＰＮ２、ＰＮ３の最後の位置値が全て適用され得る。
【０２５０】
ポジションマルチプレクシング方法を用いたＣＰパターン生成方法＃１において、前述したマルチプレクシングルールは、次の数式のように表現できる。これは、与えられたレファレンスインデックステーブルから、各ＦＦＴモードに使用されるＣＰ位置を発生させるための数式であり得る。
【０２５１】
【数２】
2018152899.tif 000004
【０２５２】
数式２は、与えられたレファレンスインデックステーブルに基づいて、各ＦＦＴモードに使用されるＣＰ位置値を生成するための数式であり得る。ここで、ＣＰ＿８／１６／３２Ｋは、それぞれ８Ｋ、１６Ｋ、３２Ｋ ＦＦＴモードにおけるＣＰパターンを意味する。ＰＮ＿１／２／３／４は、それぞれのサブインデックステーブルの名である。ＳＰＮ＿１／２／３／４は、それぞれＰＮ１、ＰＮ２、ＰＮ３、ＰＮ４サブインデックステーブルのサイズを意味する。α１／２／３は、それぞれ、追加されたＣＰ位置を均等に分布させるためのシフト値（ｓｈｉｆｔｉｎｇ  ｖａｌｕｅ）を意味する。
【０２５３】
ＣＰ_８Ｋ（ｋ）及びＣＰ_１６Ｋ（ｋ）において、ｋ値は、ＳPN1−１、ＳPN12−１までに限定されている。ここで、−１が付く理由は、前述したように、最後に与えられるＣＰ位置値ｖは除外されるためである。
【０２５４】
図２１は、ポジションマルチプレクシング方法を用いたＣＰパターン生成方法＃２において、レファレンスインデックステーブルを構成する概念の一実施例を示した図である。
【０２５５】
ポジションマルチプレクシング方法を用いたＣＰパターン生成方法＃２を説明する。
【０２５６】
ポジションマルチプレクシング方法を用いたＣＰパターン生成方法＃２は、ＦＦＴモードによるＣＰパターンをサポートする方式で行うことができる。ＣＰパターン生成方法＃２は、ＰＮ１、ＰＮ２、ＰＮ３、ＰＮ４などをマルチプレクシングして各ＦＦＴモードに合うＣＰをサポートする方式で行うことができる。ここで、ＰＮ１〜ＰＮ４は、サブインデックステーブルであって、互いに異なるＰＮ生成器によって生成されたＣＰ位置で構成され得る。ＰＮ１〜ＰＮ４は、ＣＰ位置値がランダム且つ均等に分布したシーケンス（ｓｅｑｕｅｎｃｅ）であると仮定することができる。レファレンスインデックステーブルの生成は、前述したポジションマルチプレクシング方法を用いたＣＰパターン生成方法＃１とほぼ同一であるが、具体的なマルチプレクシング方式は異なり得る。
【０２５７】
１つのパイロットデンシティブロック（ｐｉｌｏｔ  ｄｅｎｓｉｔｙ  ｂｌｏｃｋ）は、Ｎblkで表現することができる。同一の帯域幅内で、ＦＦＴモードに応じて、割り当てられたＮblkの数が異なり得る。すなわち、８Ｋ ＦＦＴモードの場合、１個、１６Ｋ ＦＦＴモードの場合、２個、３２Ｋ ＦＦＴモードの場合、４個のＮblkが割り当てられていてもよい。各ＦＦＴモードに応じて、割り当てられた領域にＰＮ１〜ＰＮ４がマルチプレクシングされて、ＣＰパターンが生成され得る。
【０２５８】
各ＰＮ１〜ＰＮ４は、ランダム且つ均等なＣＰ分布を有するように生成され得る。したがって、任意の特定のチャネルによる影響を緩和することができる。特にＰＮ１の場合、該当するＣＰ位置値が８Ｋ、１６Ｋ、３２Ｋのフィジカルスペクトル（ｐｈｙｓｉｃａｌ  ｓｐｅｃｔｒｕｍ）において同一のポジションに位置するように設計することができる。この場合、簡単なＰＮ１を用いて、同期のための受信アルゴリズムを具現することができる。
【０２５９】
また、ＰＮ１〜ＰＮ４は、優れたクロスコリレーション（ｃｒｏｓｓ  ｃｏｒｒｅｌａｔｉｏｎ）特性及びオートコリレーション（ａｕｔｏ  ｃｏｒｒｅｌａｔｉｏｎ）特性を有するように設計されていてもよい。
【０２６０】
１６Ｋ ＦＦＴモードにおいてＣＰ位置が追加的に決定されるＰＮ２の場合、８Ｋ ＦＦＴモードにおいて定められたＰＮ１の位置に対して、優れたオートコリレーション特性及び均等分布特性を有するようにＣＰ位置が決定され得る。同様に、３２Ｋ ＦＦＴモードにおいてＣＰ位置が追加的に決定されるＰＮ３、ＰＮ４の場合、１６Ｋ ＦＦＴモードにおいて定められたＰＮ１、ＰＮ２の位置に基づいてオートコリレーション特性及び均等分布特性が最適化されるようにＣＰ位置が決定され得る。
【０２６１】
スペクトルの両エッジ（ｅｄｇｅ）の一定の部分は、ＣＰが配置されなくてもよい。したがって、ＩＣＦＯ（ｉｎｔｅｇｒａｌ  ｆｒｅｑｕｅｎｃｙ  ｏｆｆｓｅｔ）が発生したとき、ＣＰの一部分が消失することを緩和させることができる。
【０２６２】
図２２は、ポジションマルチプレクシング方法を用いたＣＰパターン生成方法＃２において、レファレンスインデックステーブルの生成方法を示した図である。
【０２６３】
８Ｋ ＦＦＴモードの場合にＰＮ１、１６Ｋ ＦＦＴモードの場合にＰＮ１及びＰＮ２、３２Ｋ ＦＦＴモードの場合にＰＮ１、ＰＮ２、ＰＮ３、ＰＮ４が生成され得る。この生成過程は、定められたマルチプレクシングルールによって行われてもよい。
【０２６４】
図２２は、８Ｋ ＦＦＴモードを基準としたとき、１つのパイロットデンシティブロックＮblkで表現できる領域に、１６Ｋ ＦＦＴモードの場合に２個、３２Ｋ ＦＦＴモードの場合に４個のパイロットデンシティブロックＮblkが含まれ得ることが示されている。各ＦＦＴモードに応じて生成されたＰＮがマルチプレクシングされて、ＣＰパターンが生成され得る。
【０２６５】
８Ｋ ＦＦＴモードの場合、ＰＮ１をそのまま用いてＣＰパターンを生成することができる。すなわち、ＰＮ１が、８Ｋ ＦＦＴモードにおけるＣＰパターンであり得る。
【０２６６】
１６Ｋ ＦＦＴモードの場合、１番目のパイロットデンシティブロック（１st  Ｎblk）にＰＮ１が、２番目のパイロットデンシティブロック（２nd  Ｎblk）にＰＮ２が配置されて、ＣＰパターンが生成され得る。
【０２６７】
３２Ｋ ＦＦＴモードの場合、１番目のパイロットデンシティブロック（１st  Ｎblk）にＰＮ１が、２番目のパイロットデンシティブロック（２nd  Ｎblk）にＰＮ２が、３番目のパイロットデンシティブロック（３rd  Ｎblk）にＰＮ３が、４番目のパイロットデンシティブロック（４th  Ｎblk）にＰＮ４が配置されて、ＣＰパターンが生成され得る。本実施例では、ＰＮ１〜ＰＮ４が順次配置されているが、ＰＮ２が３番目のパイロットデンシティブロック（３rd  Ｎblk）に配置されてもよい。これは、１６Ｋ ＦＦＴモードと比較したとき、スペクトルの類似の位置にＣＰが挿入されるようにするためである。
【０２６８】
ポジションマルチプレクシング方法を用いたＣＰパターン生成方法＃２において、前述したマルチプレクシングルールは、次の数式のように表現できる。次の数式は、与えられたレファレンスインデックステーブルから、各ＦＦＴモードに使用されるＣＰ位置を発生させるための数式であり得る。
【０２６９】
【数３】
2018152899.tif 000005
【０２７０】
数式３は、与えられたレファレンスインデックステーブルに基づいて、各ＦＦＴモードに使用されるＣＰ位置値を生成するための数式であり得る。ここで、ＣＰ＿８／１６／３２Ｋは、それぞれ８Ｋ、１６Ｋ、３２Ｋ ＦＦＴモードにおけるＣＰパターンを意味し得る。ＰＮ１〜ＰＮ４は、各シーケンスであり得る。このシーケンスは、４つの疑似ランダムシーケンス（ｐｓｅｕｄｏ  ｒａｎｄｏｍ  ｓｅｑｕｅｎｃｅｓ）であり得る。また、ｃｅｉｌ（Ｘ）は、ＸのＣＥＩＬ関数であって、Ｘと同一又は大きい整数のうち最小値を出力する関数であり得る。ｍｏｄ（Ｘ，Ｎ）は、モジュロ関数であって、ＸをＮで割った残りを出力することができる。
【０２７１】
１６Ｋ ＦＦＴモードと３２Ｋ ＦＦＴモードのために、ＰＮ１〜ＰＮ４シーケンスは、各ＦＦＴモードに応じて定められたオフセット位置にマルチプレクシングされ得る。前記数式において、オフセットの値は、基本Ｎblkの定められた整数倍の値のモジュロ演算値で表現され得る。このオフセット値は、任意の異なる値を有することができる。
【０２７２】
図２３は、ポジションマルチプレクシング方法を用いたＣＰパターン生成方法＃３において、レファレンスインデックステーブルの生成方法の一実施例を示した図である。
【０２７３】
本実施例において、ＰＮ１〜ＰＮ４は、ＣＰ位置値がランダム且つ均等に分布したシーケンスであると仮定することができる。また、前述したように、ＰＮ１〜ＰＮ４は、８Ｋ、１６Ｋ，３２Ｋに対してコリレーション及び均等分布の特性を満足するように最適化されていてもよい。
【０２７４】
本実施例は、チャネル推定のためのＳＰパターンに関するものであってもよい。また、本実施例は、フリークエンシーディレクション（ｆｒｅｑｕｅｎｃｙ  ｄｉｒｅｃｔｉｏｎ）への距離Ｄｘが８、タイムディレクション（ｔｉｍｅ  ｄｉｒｅｃｔｉｏｎ）への距離Ｄｙが２である場合に関するものであってもよい。本実施例は、他のパターンに対しても適用可能である。
【０２７５】
前述したように、８Ｋ ＦＦＴモードの場合にＰＮ１、１６Ｋ ＦＦＴモードの場合にＰＮ１及びＰＮ２、３２Ｋ ＦＦＴモードの場合にＰＮ１、ＰＮ２、ＰＮ３、ＰＮ４が生成され得る。この生成過程は、定められたマルチプレクシングルールによって行うことができる。
【０２７６】
図２３には、８Ｋ ＦＦＴモードを基準としたとき、１つのパイロットデンシティブロックＮblkで表現できる領域に、１６Ｋ ＦＦＴモードの場合に２個、３２Ｋ ＦＦＴモードの場合に４個のパイロットデンシティブロックＮblkが含まれ得ることが示されている。
【０２７７】
各ＦＦＴモードに応じて生成されたＰＮがマルチプレクシングされて、ＣＰパターンが生成され得る。各ＦＦＴモードにおいて、ＣＰは、ＳＰと重なるように位置したり（ＳＰ  ｂｅａｒｉｎｇ）、ＳＰと重ならないように位置してもよい（ｎｏｎ  ＳＰ  ｂｅａｒｉｎｇ）。本実施例では、ＳＰと重なるかまたは重ならない位置にＣＰが位置するためのマルチプレクシングルールが適用され得る。これは、周波数領域で同一の位置にパイロットが位置するようにするためであり得る。
【０２７８】
ＳＰベアリングの場合、ＳＰのオフセットパターンに対して、ＣＰ位置がランダム且つ均等に分布するようにＰＮ１〜ＰＮ４が位置してもよい。ここで、ＰＮ１〜ＰＮ４は、ＳＰベアリングセット（ＳＰ  ｂｅａｒｉｎｇ  ｓｅｔ）をなすシーケンスであり得る。ＰＮ１〜ＰＮ４は、ＦＦＴモード別に、マルチプレクシングルールに従って位置し得る。すなわち、１６Ｋ ＦＦＴモードの場合に、ＰＮ１に追加されるＰＮ２は、ＰＮ１が位置するＳＰのオフセットパターンを除いた残りの位置に位置し得る。ＰＮ１が位置するＳＰのオフセットパターンを除いた残りの位置にＰＮ２が位置するように、ＰＮ２に対する位置オフセットが設定されるか、または関係式を通じて定められたパターンでＰＮ２が配置されてもよい。同様に、３２Ｋ ＦＦＴモードの場合、ＰＮ３及びＰＮ４は、ＰＮ１及びＰＮ２が位置するＳＰのオフセットパターンを除いた残りの位置に位置するように設定され得る。
【０２７９】
ノンＳＰベアリングの場合、ＰＮ１〜ＰＮ４が関係式に従って位置してもよい。ここで、ＰＮ１〜ＰＮ４は、ノンＳＰベアリングセット（ｎｏｎ  ＳＰ  ｂｅａｒｉｎｇ  ｓｅｔ）をなすシーケンスであり得る。
【０２８０】
ポジションマルチプレクシング方法を用いたＣＰパターン生成方法＃３において、前述したマルチプレクシングルールは、次の数式のように表現できる。次の数式は、与えられたレファレンスインデックステーブルから、各ＦＦＴモードに使用されるＣＰ位置を発生させるための数式であり得る。
【０２８１】
【数４】
2018152899.tif 000006
【０２８２】
【数５】
2018152899.tif 000007
【０２８３】
【数６】
2018152899.tif 000008
【０２８４】
前記数式は、与えられたレファレンスインデックステーブルに基づいて、各ＦＦＴモードに使用されるＣＰ位置値を生成するための数式であり得る。ここで、ＣＰ＿８／１６／３２Ｋは、それぞれ８Ｋ、１６Ｋ、３２Ｋ ＦＦＴモードにおけるＣＰパターンを意味する。ＣＰｓｐ＿８／１６／３２Ｋは、それぞれ８Ｋ、１６Ｋ、３２Ｋ ＦＦＴモードにおけるＳＰベアリングＣＰパターンを意味する。ＣＰｎｏｎｓｐ＿８／１６／３２Ｋは、それぞれ８Ｋ、１６Ｋ、３２Ｋ ＦＦＴモードにおけるノンＳＰベアリングＣＰパターンを意味する。ＰＮ１ｓｐ、ＰＮ２ｓｐ、ＰＮ３ｓｐ、ＰＮ４ｓｐは、それぞれＳＰベアリングパイロットのためのシーケンスを示す。このシーケンスは、４つの疑似ランダムシーケンスであり得る。このシーケンスはＳＰベアリングセットに含まれてもよい。ＰＮ１ｎｏｎｓｐ，ＰＮ２ｎｏｎｓｐ，ＰＮ３ｎｏｎｓｐ，ＰＮ４ｎｏｎｓｐは、それぞれノンＳＰベアリングパイロットのためのシーケンスを示す。このシーケンスは、４つの疑似ランダムシーケンスであり得る。このシーケンスはノンＳＰベアリングセットに含まれてもよい。α１６Ｋ、α３２Ｋ、α２３２Ｋ、β１６Ｋ、β３２Ｋ、β２３２Ｋは、ＣＰポジションオフセットを示す。
【０２８５】
それぞれのＳＰベアリングＣＰパターンは、数式４に示したように、ＰＮ１ｓｐ、ＰＮ２ｓｐ、ＰＮ３ｓｐ、ＰＮ４ｓｐを用いて生成され得る。それぞれのノンＳＰベアリングＣＰパターンは、数式５に示したように、ＰＮ１ｎｏｎｓｐ，ＰＮ２ｎｏｎｓｐ、ＰＮ３ｎｏｎｓｐ、ＰＮ４ｎｏｎｓｐを用いて生成され得る。数式６に示したように、各ＦＦＴモードのＣＰパターンは、ＳＰベアリングＣＰパターンとノンＳＰベアリングＣＰパターンからなることができる。すなわち、ノンＳＰベアリングＣＰインデックステーブルにＳＰベアリングＣＰインデックステーブルが追加されてレファレンスインデックステーブルが生成され得る。結果的に、ノンＳＰベアリングＣＰインデックステーブル及びＳＰベアリングＣＰインデックステーブルによってＣＰ挿入が行われ得る。ここで、ノンＳＰベアリングＣＰ位置値は、コモンＣＰセット（ｃｏｍｍｏｎ  ＣＰ  ｓｅｔ）と呼ぶことができる。また、ＳＰベアリングＣＰ位置値は、追加ＣＰセット（ａｄｄｉｔｉｏｎａｌ  ＣＰ  ｓｅｔ）と呼ぶことができる。
【０２８６】
各ＣＰポジションオフセットは、前述したように、マルチプレクシングのために予め設定された値であり得る。各ＣＰポジションオフセットは、ＦＦＴモードに関係なく同一の周波数に割り当てられるか、あるいはＣＰの特性を補正するのに用いられてもよい。
【０２８７】
図２４は、パターン反転方法を用いたＣＰパターン生成方法＃１において、レファレンスインデックステーブルを構成する概念を示した図である。
【０２８８】
パターン反転方法を用いたＣＰパターン生成方法＃１を説明する。
【０２８９】
前述したように、レファレンスインデックステーブルを生成するとき、テーブルを一定の大きさのサブインデックステーブルに分けることができる。このサブインデックステーブルは、それぞれ互いに異なるＰＮ発生器（または互いに異なるシード（ｓｅｅｄ））を用いて生成されたＣＰ位置を含むことができる。
【０２９０】
パターン反転方法において、８Ｋ、１６Ｋ、３２Ｋ ＦＦＴモードにおいて必要な２つのサブインデックステーブルは、２つの互いに異なるＰＮ発生器によって生成され得る。そして、３２Ｋ ＦＦＴモードの場合に追加で必要な２つのサブインデックステーブルは、予め生成された２つのサブインデックステーブルを反転させて生成することができる。
【０２９１】
すなわち、１６Ｋ ＦＦＴモードをサポートする場合、ＰＮ１とＰＮ２によるＣＰ位置を順次配列することによって、ＣＰ位置分布を得ることができる。しかし、３２Ｋ ＦＦＴモードをサポートする場合には、ＰＮ１とＰＮ２によるＣＰ位置を反転させることによってＣＰ位置分布を得ることができる。
【０２９２】
これによって、３２Ｋ ＦＦＴモードでのＣＰインデックステーブルは、１６Ｋ ＦＦＴモードでのＣＰインデックステーブルを含むことができる。また、１６Ｋ ＦＦＴモードでのＣＰインデックステーブルは、８Ｋ ＦＦＴモードでのＣＰインデックステーブルを含むことができる。実施例によって、３２Ｋ ＦＦＴモードでのＣＰインデックステーブルを格納し、これから８Ｋ、１６Ｋ ＦＦＴモードでのＣＰインデックステーブルを選択／抽出することで、８Ｋ、１６Ｋ ＦＦＴモードでのＣＰインデックステーブルが生成されてもよい。
【０２９３】
前述したパターン反転方法による場合、ＣＰの位置が、スペクトル上で均等且つランダムに分布することができる。また、前述したポジションマルチプレクシング方法と比較したとき、必要なレファレンスインデックステーブルの大きさを減らすことができるという利点がある。また、受信機に要求されるメモリストレージ量を減少させることができる。
【０２９４】
図２５は、パターン反転方法を用いたＣＰパターン生成方法＃１において、レファレンスインデックステーブルの生成方法の一実施例を示した図である。
【０２９５】
本実施例では、Ｄｘ＝３、Ｄｙ＝４を有するＳＰパターンを考慮してＣＰ位置情報を発生させることができる。また、本実施例は、８Ｋ／１６Ｋ／３２Ｋ ＦＦＴモード（ＮＯＣ：１８１７／１３６３３／２７２６５）で実行されてもよい。
【０２９６】
ＣＰ位置値は、８Ｋ ＦＦＴモードを基本モードとしてサブインデックステーブルに格納されてもよい。１６Ｋ ＦＦＴモード以上のＦＦＴモードをサポートする場合、サブインデックステーブルが、基本的に格納されたサブインデックステーブルに追加されてもよい。追加されるサブインデックステーブルの値は、基本的に格納されたサブインデックステーブルに所定の値を加算したり、基本的なサブインデックステーブルをシフトすることによって得られる。
【０２９７】
３２Ｋ ＦＦＴモードのインデックステーブルは、ＰＮ１、ＰＮ２のサブインデックステーブルのパターンを反転させて得たサブインデックステーブルを用いて生成され得る。
【０２９８】
サブインデックステーブルＰＮ１、ＰＮ２の最後に与えられるＣＰ位置値は、当該サブインデックステーブルが拡張されるときに必要な値を意味する。すなわち、最後に与えられるＣＰ位置値は、マルチプレクシングのための値であり得る。最後に与えられるＣＰ位置値は、図２０に楕円で示されている。
【０２９９】
サブインデックステーブルの最後に与えられるＣＰ位置値ｖは、次のように示すことができる。
【０３００】
【数７】
2018152899.tif 000009
【０３０１】
ｖは、Ｄｘ・Ｄｙの整数倍（ｉ）で表現され得る。８Ｋ ＦＦＴモードが適用される場合、サブインデックステーブルＰＮ１の最後の位置値は適用されなくてもよい。１６Ｋ ＦＦＴモードが適用される場合、サブインデックステーブルＰＮ１の最後の位置値は適用される一方、サブインデックステーブルＰＮ２の最後の位置値は適用されなくてもよい。
【０３０２】
３２Ｋ ＦＦＴモードのためのインデックステーブルは、１６Ｋ ＦＦＴモードのためのインデックステーブル、及び１６Ｋ ＦＦＴモードのためのインデックステーブルを反転させたインデックステーブルを用いて生成され得る。したがって、サブインデックステーブルＰＮ１の最後の位置値は２回使用され、サブインデックステーブルＰＮ２の最後の位置値は１回のみ使用され得る。
【０３０３】
サブインデックステーブルの拡張において、ｖによる拡張は、実施例によって、必要な場合もあり、必要でない場合もある。すなわち、ｖなしに拡張／反転する実施例もあり得る。
【０３０４】
パターン反転方法を用いたＣＰパターン生成方法＃１において、前述したマルチプレクシングルールは、次の数式のように表現できる。次の数式は、与えられたレファレンスインデックステーブルから、各ＦＦＴモードに使用されるＣＰ位置を発生させるための数式であり得る。
【０３０５】
【数８】
2018152899.tif 000010
【０３０６】
数式８によって、各ＦＦＴモードでのＣＰパターンが生成され得る。ここで、記号は、前述したものと同一であり得る。β（ベータ）は、８Ｋ ＦＦＴモードのＮＯＡと最も近い整数を意味する。すなわち、ＮＯＡが６８１７である場合、βは６８１６であり得る。
【０３０７】
【数９】
2018152899.tif 000011
【０３０８】
図２６は、パターン反転方法を用いたＣＰパターン生成方法＃２において、レファレンスインデックステーブルを構成する概念の一実施例を示した図である。
【０３０９】
パターン反転方法を用いたＣＰパターン生成方法＃２を説明する。
【０３１０】
前述したように、レファレンスインデックステーブルを生成するとき、テーブルを一定の大きさのサブインデックステーブルに分けることができる。このサブインデックステーブルは、それぞれ互いに異なるＰＮ発生器（または互いに異なるシード（ｓｅｅｄ））を用いて生成されたＣＰ位置を含むことができる。
【０３１１】
８Ｋ、１６Ｋ、３２Ｋ ＦＦＴモードにおいて必要な２つのサブインデックステーブルは、２つの互いに異なるＰＮ発生器によって生成され得る。これは、前述したものと同一であり得る。３２Ｋ ＦＦＴモードの場合、追加で必要な２つのサブインデックステーブルは、予め生成された２つのサブインデックステーブルを反転して生成することができる。しかし、パターン反転方法を用いたＣＰパターン生成方法＃２の場合、予め生成された２つのサブインデックステーブルを単純に反転させるものではなく、パターンをサイクリックシフトさせた後、反転させることで、必要な２つのサブインデックステーブルを生成することができる。実施例によって、反転させる動作が先に行われた後、サイクリックシフトが行われてもよい。また、実施例によって、サイクリックシフトではなく、単純なシフトが行われてもよい。
【０３１２】
これによって、３２Ｋ ＦＦＴモードでのＣＰインデックステーブルは、１６Ｋ ＦＦＴモードでのＣＰインデックステーブルを含むことができる。また、１６Ｋ ＦＦＴモードでのＣＰインデックステーブルは、８Ｋ ＦＦＴモードでのＣＰインデックステーブルを含むことができる。実施例によって、３２Ｋ ＦＦＴモードでのＣＰインデックステーブルを格納し、これから８Ｋ、１６Ｋ ＦＦＴモードでのＣＰインデックステーブルを選択／抽出することで、８Ｋ、１６Ｋ ＦＦＴモードでのＣＰインデックステーブルが生成されてもよい。
【０３１３】
前述したように、１６Ｋ ＦＦＴモードをサポートする場合、ＰＮ１とＰＮ２によるＣＰ位置値を順次配列することによって、ＣＰ位置分布を得ることができる。しかし、３２Ｋ ＦＦＴモードをサポートする場合に、パターン反転方法を用いたＣＰパターン生成方法＃２によると、ＰＮ１とＰＮ２によるＣＰ位置値をサイクリックシフトさせた後、反転させることによって、ＣＰ位置分布を得ることができる。
【０３１４】
パターン反転方法を用いたＣＰパターン生成方法＃２による場合、ＣＰの位置がスペクトル上で均等且つランダムに分布することができる。また、前述したポジションマルチプレクシング方法と比較したとき、必要なレファレンスインデックステーブルの大きさを減らすことができるという利点がある。また、受信機に要求されるメモリストレージ量を減少させることができる。
【０３１５】
パターン反転方法を用いたＣＰパターン生成方法＃２において、前述したマルチプレクシングルールは、次の数式のように表現できる。次の数式は、与えられたレファレンスインデックステーブルから、各ＦＦＴモードに使用されるＣＰ位置を発生させるための数式であり得る。
【０３１６】
【数１０】
2018152899.tif 000012
【０３１７】
数式９によって、各ＦＦＴモードでのＣＰパターンが生成され得る。ここで、記号は、前述したものと同一であり得る。β（ベータ）は、８Ｋ ＦＦＴモードのＮＯＡと最も近い整数を意味する。すなわち、ＮＯＡが６８１７である場合、βは６８１６であり得る。γ１／２は、サイクリックシフト値であり得る。
【０３１８】
【数１１】
2018152899.tif 000013
【０３１９】
前述したＣＰパターン生成方法以外にも、他の方法によってＣＰパターンを生成することができる。実施例によって、特定のＦＦＴサイズのＣＰセット（ＣＰパターン）は、他のＦＦＴサイズのＣＰセットをベースとして有機的、従属的に生成され得る。このとき、ＣＰセットの全部あるいは一部が生成過程のベースとなり得る。例えば、１６Ｋ ＦＦＴモードでのＣＰセットは、３２Ｋ ＦＦＴモードでのＣＰセットからＣＰ位置が選別／抽出されて生成され得る。同様に、８Ｋ ＦＦＴモードでのＣＰセットは、３２Ｋ ＦＦＴモードでのＣＰセットからＣＰ位置が選別／抽出されて生成され得る。
【０３２０】
他の実施例によって、ＣＰセットは、ＳＰベアリングＣＰ位置及び／又はノンＳＰベアリングＣＰ位置を含むことができる。ノンＳＰベアリングＣＰ位置は、コモンＣＰセット（Ｃｏｍｍｏｎ  ＣＰ  ｓｅｔ）と呼ぶことができる。ＳＰベアリングＣＰ位置は、追加ＣＰセット（Ａｄｄｉｔｉｏｎａｌ  ＣＰ  ｓｅｔ）と呼ぶことができる。すなわち、ＣＰセットは、コモンＣＰセット及び／又は追加ＣＰセットを含むことができる。ＣＰセットにコモンＣＰセットのみを含む場合をノーマルＣＰモード（ｎｏｒｍａｌ  ＣＰ  ｍｏｄｅ）と呼ぶことができる。ＣＰセットにコモンＣＰセットと追加ＣＰセットの両方を含む場合を拡張ＣＰモード（ｅｘｔｅｎｄｅｄ  ＣＰ  ｍｏｄｅ）と呼ぶことができる。
【０３２１】
コモンＣＰセットは、ＦＦＴサイズに応じて異なる値を有することができる。実施例によって、コモンＣＰセットは、前述したパターン反転方法及び／又はポジションマルチプレクシング方法によって生成され得る。
【０３２２】
追加ＣＰセットは、ＳＩＳＯ又はＭＩＭＯなどの伝送方式に応じて異なり得る。さらなるロバスト性が要求される状況において（例えば、モバイル受信）、または他の理由によって、追加ＣＰ位置が、追加ＣＰセットによってＣＰセットにさらに追加され得る。
【０３２３】
結果的に、このようなＣＰセット（レファレンスインデックステーブル）に基づいてＣＰ挿入が行われ得る。
【０３２４】
図２７は、本発明の一実施例に係る放送信号送信方法を示す。
【０３２５】
送信方法は、ＤＰデータをエンコーディングするステップ、少なくとも１つの信号フレームを生成するステップ、及び／又はＯＦＤＭ方式でデータを変調して放送信号を送信するステップを含む。
【０３２６】
ＤＰデータをエンコーディングするステップにおいて、前述したコーディングアンドモジュレーションモジュールが、それぞれのデータ経路でＤＰデータをエンコーディングすることができる。ＤＰは、ＰＬＰ（ｐｈｙｓｉｃａｌ  ｌａｙｅｒ  ｐｉｐｅ）と呼ぶこともできる。ＤＰデータをエンコーディングするステップは、ＬＤＰＣエンコーディングステップ、ビットインターリービングステップ、コンステレーションへのマッピングステップ、ＭＩＭＯエンコーディングステップ、及び／又はタイムインターリービングステップを含むことができる。
【０３２７】
ＬＤＰＣエンコーディングステップは、前述したＬＤＰＣエンコーディングに該当する。ＬＤＰＣエンコーディングは、コードレートに応じてＤＰデータに対して行うことができる。
【０３２８】
ビットインターリービングステップは、前述したビットインターリーバによるビットインターリービングに該当する。ビットインターリービングは、ＬＤＰＣエンコーディングされたＤＰデータに対して行うことができる。
【０３２９】
コンステレーションへのマッピングステップは、前述したコンステレーションマッパーによるコンステレーションマッピングに該当する。コンステレーションへのマッピングは、ビットインターリービングされたＤＰデータに対して行うことができる。
【０３３０】
ＭＩＭＯエンコーディングステップは、前述したＭＩＭＯエンコーダによるＭＩＭＯエンコーディングに該当する。ＭＩＭＯエンコーディングは、ＭＩＭＯマトリックスを用いて行うことができる。ＭＩＭＯマトリックスは、パワー不均衡の調節のためのＭＩＭＯ係数を有することができる。ＭＩＭＯエンコーディングは、マッピングされたＤＰデータに対して行うことができる。
【０３３１】
タイムインターリービングステップは、前述したタイムインターリーバによるタイムインターリービングに該当する。タイムインターリービングは、ＭＩＭＯエンコーディングされたＤＰデータに対して行うことができる。
【０３３２】
少なくとも１つの信号フレームを生成するステップにおいて、前述したフレームストラクチャモジュールは、エンコーディングされたＤＰデータを配列する（または割り当てる）ことによって信号フレームを生成することができる。
【０３３３】
ＯＦＤＭ方式でデータを変調して放送信号を送信するステップにおいて、前述したウェーブフォームジェネレーションモジュールは、ＯＦＤＭ方式でデータを変調して放送信号を送信することができる。
【０３３４】
本実施例において、変調するステップは、生成された信号フレームでＣＰを挿入するステップを含むことができる。ＣＰを挿入するステップは、ＣＰセットに基づいて行うことができる。ＣＰセットは、前述したように、ＣＰの位置に関する情報を含むことができる。ＣＰセットは、前述したレファレンスインデックステーブルに該当する。ＣＰセットは、ＦＦＴサイズに基づいて定義することができる。
【０３３５】
本発明の他の実施例に係る放送信号送信方法において、ＣＰセットは、コモンＣＰセット及び追加ＣＰセットを含む。コモンＣＰセット及び追加ＣＰセットは前述した。追加のＣＰ位置が、ＳＩＳＯ方式及びＭＩＭＯ方式のようなエンコーディング方式に基づいて追加され得る。または、低いＳＮＲ（ｓｉｇｎａｌ−ｔｏ−ｎｏｉｓｅ  ｒａｔｉｏ）状況で、追加のＣＰ位置は、高いロバスト性を確保するために追加され得る。
【０３３６】
本発明の他の実施例に係る放送信号送信方法において、３２Ｋ ＦＦＴサイズに基づいて定義されたコモンＣＰセットでのＣＰの位置に関する情報は、１６Ｋ ＦＦＴサイズに基づいて定義されたコモンＣＰセットでのＣＰの位置に関する情報を含む。３２Ｋ ＦＦＴモードのＣＰセットは１６Ｋ ＦＦＴモードのＣＰセットを含むことができる。すなわち、３２Ｋ ＦＦＴモードのＣＰセットは、１６Ｋ ＦＦＴモードのＣＰセットで使用可能なＣＰ位置を含むことができる。パターン反転方法において、３２Ｋ ＦＦＴモードのＣＰセットは、１６Ｋ ＦＦＴモードのＣＰセットを用いて生成することができる。したがって、３２Ｋ ＦＦＴモードのＣＰセットは、１６Ｋ ＦＦＴモードのＣＰセットにも含まれ得るＣＰの位置に関する情報を含むことができる。他の実施例において、１６Ｋ ＦＦＴモードのＣＰセットは、３２Ｋ ＦＦＴモードのＣＰセットから抽出することができる。したがって、３２Ｋ ＦＦＴモードのＣＰセットは、１６Ｋ ＦＦＴモードのＣＰセットにも含まれ得るＣＰの位置に関する情報を有することができる。この関係は、１６Ｋ ＦＦＴモードのＣＰセットと８Ｋ ＦＦＴモードのＣＰセットとの間で設定され得る。
【０３３７】
本発明の他の実施例に係る放送信号送信方法において、前述したように、コモンＣＰセットは、ノンＳＰ−ベアリングＣＰの位置に関する情報を含み、追加ＣＰセットは、ＳＰ−ベアリングＣＰの位置に関する情報を含む。コモンＣＰセットはノンＳＰ−ベアリングＣＰ位置を含むことができ、追加ＣＰセットはＳＰ−ベアリングＣＰ位置を含むことができる。
【０３３８】
本発明の他の実施例に係る放送信号送信方法において、３２Ｋ ＦＦＴサイズに基づいて定義されたコモンＣＰセットは、第１サブセット、第２サブセット、第３サブセット、第４サブセットを含む。第３サブセットは、第１サブセットをインバート（ｉｎｖｅｒｔ）及びシフトして生成する。第４サブセットは、第２サブセットをインバート及びシフトして生成する。第１、第２、第３、第４サブセットは、パターン反転方法を用いたＣＰパターン生成方法＃２において各サブセットに該当し得る。あるサブセットをインバート及びシフトして、他のサブセットを生成することができる。パターン反転方法を用いたＣＰパターン生成方法＃２は、上記によく述べられている。
【０３３９】
前述したステップは、設計に応じて省略されたり、類似又は同一の機能を行うステップによって代替されてもよい。
【０３４０】
図２８は、本発明の一実施例に係る放送信号受信方法を示す。
【０３４１】
受信方法は、放送信号を受信してＯＦＤＭ方式によってデータを復調するステップ、少なくとも１つの信号フレームをパーシングするステップ、及び／又はＤＰデータをデコーディングするステップを含む。
【０３４２】
放送信号を受信してＯＦＤＭ方式によってデータを復調するステップにおいて、前述したシンクロナイゼーションアンドデモジュレーションモジュールは、放送信号を受信してＯＦＤＭ方式によってデータを復調する。
【０３４３】
少なくとも１つの信号フレームをパーシングするステップにおいて、前述したフレームパーシングモジュールは、ＤＰデータをデマッピングすることによって信号フレームをパーシングする。
【０３４４】
ＤＰデータをデコーディングするステップにおいて、前述したデマッピングアンドデコーディングモジュールはＤＰデータをデコーディングする。ＤＰデータをデコーディングするステップは、タイムデインターリービングステップ、ＭＩＭＯデコーディングステップ、コンステレーションからのデマッピングステップ、ビットデインターリービングステップ、及び／又はＬＤＰＣデコーディングステップを含むことができる。
【０３４５】
タイムデインターリービングステップにおいて、前述したタイムデインターリーバはＤＰデータをタイムデインターリービングすることができる。
【０３４６】
ＭＩＭＯデコーディングステップにおいて、前述したＭＩＭＯデコーダはＤＰデータをＭＩＭＯデコーディングすることができる。ＭＩＭＯデコーディングは、ＭＩＭＯ係数を含むＭＩＭＯマトリックスを用いて行うことができる。ＭＩＭＯ係数は、パワー不均衡を調節するのに使用することができる。
【０３４７】
コンステレーションからのデマッピングステップにおいて、前述したコンステレーションデマッパーはデマッピングを行うことができる。デマッピングはＤＰデータに行うことができる。
【０３４８】
ビットデインターリービングステップにおいて、前述したビットデインターリーバはビットデインターリービングを行うことができる。
【０３４９】
ＬＤＰＣデコーディングステップにおいて、前述したＬＤＰＣデコーダ（またはＦＥＣデコーダ）は、ＬＤＰＣコードによってＤＰデータをデコーディングすることができる。
【０３５０】
本実施例において、復調ステップは、信号フレームでＣＰを獲得するステップを含む。ＣＰは、ＣＰセットに基づいて位置する。ＣＰセットは、前述したＣＰセット（またはレファレンスインデックステーブル）に該当する。ＣＰセットは、ＣＰの位置に関する情報を含むことができる。ＣＰセットはＣＰの位置を含むことができる。ＣＰセットはＦＦＴサイズに基づいて定義することができる。
【０３５１】
本発明の他の実施例に係る放送信号受信方法において、ＣＰセットは、コモンＣＰセット及び追加ＣＰセットを含む。コモンＣＰセット及び追加ＣＰセットは前述した。追加のＣＰ位置が、ＳＩＳＯ方式及びＭＩＭＯ方式のようなエンコーディング方式に基づいて追加され得る。または、低いＳＮＲ状況で、追加のＣＰ位置は、高いロバスト性を確保するために追加され得る。
【０３５２】
本発明の他の実施例に係る放送信号受信方法において、３２Ｋ ＦＦＴサイズに基づいて定義されたコモンＣＰセットでのＣＰの位置に関する情報は、１６Ｋ ＦＦＴサイズに基づいて定義されたコモンＣＰセットでのＣＰの位置に関する情報を含む。３２Ｋ ＦＦＴモードのＣＰセットは１６Ｋ ＦＦＴモードのＣＰセットを含むことができる。すなわち、３２Ｋ ＦＦＴモードのＣＰセットは、１６Ｋ ＦＦＴモードのＣＰセットで使用可能なＣＰ位置を含むことができる。パターン反転方法において、３２Ｋ ＦＦＴモードのＣＰセットは、１６Ｋ ＦＦＴモードのＣＰセットを用いて生成することができる。したがって、３２Ｋ ＦＦＴモードのＣＰセットは、１６Ｋ ＦＦＴモードのＣＰセットにも含まれ得るＣＰの位置に関する情報を含むことができる。他の実施例において、１６Ｋ ＦＦＴモードのＣＰセットは、３２Ｋ ＦＦＴモードのＣＰセットから抽出することができる。したがって、３２Ｋ ＦＦＴモードのＣＰセットは、１６Ｋ ＦＦＴモードのＣＰセットにも含まれ得るＣＰの位置に関する情報を有することができる。この関係は、１６Ｋ ＦＦＴモードのＣＰセットと８Ｋ ＦＦＴモードのＣＰセットとの間で設定され得る。
【０３５３】
本発明の他の実施例に係る放送信号受信方法において、前述したように、コモンＣＰセットは、ノンＳＰ−ベアリングＣＰの位置に関する情報を含み、追加ＣＰセットは、ＳＰ−ベアリングＣＰの位置に関する情報を含む。コモンＣＰセットはノンＳＰ−ベアリングＣＰ位置を含むことができ、追加ＣＰセットはＳＰ−ベアリングＣＰ位置を含むことができる。
【０３５４】
本発明の他の実施例に係る放送信号受信方法において、３２Ｋ ＦＦＴサイズに基づいて定義されたコモンＣＰセットは、第１サブセット、第２サブセット、第３サブセット、第４サブセットを含む。第３サブセットは、第１サブセットをインバート及びシフトして生成する。第４サブセットは、第２サブセットをインバート及びシフトして生成する。第１、第２、第３、第４サブセットは、パターン反転方法を用いたＣＰパターン生成方法＃２において各サブセットに該当し得る。あるサブセットをインバート及びシフトして、他のサブセットを生成することができる。パターン反転方法を用いたＣＰパターン生成方法＃２は、上記によく述べられている。
【０３５５】
前述したステップは、設計に応じて省略されたり、類似又は同一の機能を行うステップによって代替されてもよい。
【０３５６】
本発明を明確性のために、添付のそれぞれの図面を参照して説明したが、添付の図面に示した実施例を併合して新しい実施例を設計することができる。また、上記説明で言及された実施例を実行するためのプログラムが記録されたコンピュータで読み取り可能な記録媒体が当業者の必要によって設計されれば、それも請求項及びその同等範囲に属し得る。
【０３５７】
本発明に係る装置及び方法は、上記説明で言及された実施例の構成及び方法によって制限されない。また、上記説明で言及された実施例は、様々な変形を可能にするために、全体的又は部分的に他のものと選択的に結合する方式で構成され得る。
【０３５８】
また、本発明に係る方法は、ネットワーク装置に提供されたプロセッサが読み取り可能な記録媒体でプロセッサが読み取り可能なコードで実現することができる。プロセッサが読み取り可能な媒体は、プロセッサが読み取り可能なデータを格納できる全ての種類の記録装置を含むことができる。プロセッサが読み取り可能な媒体は、例えば、ＲＯＭ、ＲＡＭ、ＣＤ−ＲＯＭ、磁気テープ、フロッピーディスク、光データ格納装置などのうち一つを含むことができ、また、インターネットを介した伝送などのようなキャリアウェーブの形態で具現されるものも含む。また、プロセッサが読み取り可能な記録媒体は、ネットワークで接続されたコンピュータシステムに分散されて、分散システムによってプロセッサが読み取り可能なコードが格納され、実行され得る。
【０３５９】
本発明の思想及び範囲を逸脱しない限り、本発明において様々な変形及び変更が可能であることは、当業者に理解されるであろう。したがって、本発明は、請求項及びその同等範囲内にある本発明の変形及び変更を含むように意図される。
【０３６０】
本明細書では、装置発明と方法発明が全て言及されており、両発明に対する説明が互いに相補的に適用され得る。
〔発明を実施するための形態〕
【０３６１】
様々な実施例が、発明を実施するための最良の形態で説明された。
【産業上の利用可能性】
【０３６２】
本発明は、放送及び通信分野に産業上の利用可能性がある。
【図１】
2018152899.tif 000014
【図２】
2018152899.tif 000015
【図３】
2018152899.tif 000016
【図４】
2018152899.tif 000017
【図５】
2018152899.tif 000018
【図６】
2018152899.tif 000019
【図７】
2018152899.tif 000020
【図８】
2018152899.tif 000021
【図９】
2018152899.tif 000022
【図１０】
2018152899.tif 000023
【図１１】
2018152899.tif 000024
【図１２】
2018152899.tif 000025
【図１３】
2018152899.tif 000026
【図１４】
2018152899.tif 000027
【図１５】
2018152899.tif 000028
【図１６】
2018152899.tif 000029
【図１７】
2018152899.tif 000030
【図１８】
2018152899.tif 000031
【図１９】
2018152899.tif 000032
【図２０】
2018152899.tif 000033
【図２１】
2018152899.tif 000034
【図２２】
2018152899.tif 000035
【図２３】
2018152899.tif 000036
【図２４】
2018152899.tif 000037
【図２５】
2018152899.tif 000038
【図２６】
2018152899.tif 000039
【図２７】
2018152899.tif 000040
【図２８】
2018152899.tif 000041
【手続補正書】
【提出日】平成30年6月7日(2018.6.7)
【手続補正１】
【補正対象書類名】特許請求の範囲
【補正対象項目名】全文
【補正方法】変更
【補正の内容】
【特許請求の範囲】
【請求項１】
放送信号送信方法であって、
ＤＰ（Ｄａｔａ  Ｐｉｐｅ）データをＬＤＰＣ（ｌｏｗｅｒ  ｄｅｎｓｉｔｙ  ｐａｒｉｔｙ  ｃｈｅｃｋ）エンコーディングするステップと、
前記ＬＤＰＣエンコーディングされたＤＰデータをビットインターリービングするステップと、
前記ビットインターリービングされたＤＰデータをコンステレーションにマッピングするステップと、
前記マッピングされたＤＰデータをタイムインターリービングするステップと、
前記タイムインターリービングされたＤＰデータを含む少なくとも１つの信号フレームを生成するステップと、
ＦＦＴ（Ｆａｓｔ  Ｆｏｕｒｉｅｒ  Ｔｒａｎｓｆｏｒｍ）サイズに応じて、前記生成された信号フレームの全てのシンボルにＣＰ（Ｃｏｎｔｉｎｕａｌ  Ｐｉｌｏｔｓ）を挿入するステップであって、前記ＦＦＴサイズは８Ｋ、１６Ｋ、又は３２Ｋサイズの１つである、ステップと、
ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式によって前記生成された信号フレーム内のデータを変調するステップと、
前記変調されたデータを有する放送信号を送信するステップと、を含み、
前記ＣＰが前記３２Ｋ  ＦＦＴサイズ用のとき、前記３２Ｋ  ＦＦＴサイズの前記ＣＰ用のインデックスは、前記３２Ｋ  ＦＦＴサイズの前記ＣＰの第１インデックス及び前記３２Ｋ  ＦＦＴサイズの前記ＣＰの第２インデックスを含み、
前記第１インデックスは、前記３２Ｋ  ＦＦＴサイズの前記ＣＰの前記第２インデックスを反転及びシフトすることによって生成される、放送信号送信方法。
【請求項２】
前記反転及びシフトは、キャリアの数−１の整数に基づいて行われる、請求項１に記載の放送信号送信方法。
【請求項３】
放送信号受信方法であって、
少なくとも１つの信号フレームを有する放送信号を受信するステップと、
ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式によって前記少なくとも１つの信号フレーム内のデータを復調するステップと、
ＤＰ（Ｄａｔａ  Ｐｉｐｅ）データを含む前記少なくとも１つの信号フレームをパーシングするステップと、
前記ＤＰデータをタイムデインターリービングするステップと、
前記タイムデインターリービングされたＤＰデータをデマッピングするステップと、
前記デマッピングされたＤＰデータをビットデインターリービングするステップと、
前記ビットデインターリービングされたＤＰデータをＬＤＰＣ（Ｌｏｗｅｒ  Ｄｅｎｓｉｔｙ  Ｐａｒｉｔｙ  Ｃｈｅｃｋ）デコーディングするステップと、を含み、
ＦＦＴ（Ｆａｓｔ  Ｆｏｕｒｉｅｒ  Ｔｒａｎｓｆｏｒｍ）サイズに応じて、前記少なくとも１つの信号フレームの全てのシンボルにＣＰ（Ｃｏｎｔｉｎｕａｌ  Ｐｉｌｏｔ）が含まれ、前記ＦＦＴサイズは８Ｋ、１６Ｋ、又は３２Ｋサイズの１つであり、
前記ＣＰが前記３２Ｋ  ＦＦＴサイズ用のとき、前記３２Ｋ  ＦＦＴサイズの前記ＣＰ用のインデックスは、前記３２Ｋ  ＦＦＴサイズの前記ＣＰの第１インデックス及び前記３２Ｋ  ＦＦＴサイズの前記ＣＰの第２インデックスを含み、
前記第１インデックスは、前記３２Ｋ  ＦＦＴサイズの前記ＣＰの前記第２インデックスを反転及びシフトすることによって生成される、放送信号受信方法。
【請求項４】
前記反転及びシフトは、キャリアの数−１の整数に基づいて行われる、請求項３に記載の放送信号受信方法。
【請求項５】
放送信号送信装置であって、
ＤＰ（Ｄａｔａ  Ｐｉｐｅ）データをＬＤＰＣ（Ｌｏｗｅｒ  Ｄｅｎｓｉｔｙ  Ｐａｒｉｔｙ  Ｃｈｅｃｋ）エンコーディングするＬＤＰＣエンコーダと、
前記ＬＤＰＣエンコーディングされたＤＰデータをビットインターリービングするビットインターリーバと、
前記ビットインターリービングされたＤＰデータをコンステレーションにマッピングするマッパーと、
前記マッピングされたＤＰデータをタイムインターリービングするタイムインターリーバと、
前記タイムインターリービングされたＤＰデータを含む少なくとも１つの信号フレームを生成するフレームビルダーと、
ＦＦＴ（Ｆａｓｔ  Ｆｏｕｒｉｅｒ  Ｔｒａｎｓｆｏｒｍ）サイズに応じて、前記生成された信号フレームの全てのシンボルにＣＰ（Ｃｏｎｔｉｎｕａｌ  Ｐｉｌｏｔｓ）を挿入するパイロットインサーターであって、前記ＦＦＴサイズは８Ｋ、１６Ｋ、又は３２Ｋサイズの１つである、パイロットインサーターと、
ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式によって前記生成された信号フレーム内のデータを変調するモジュレータと、
前記変調されたデータを有する放送信号を送信する送信機と、を含み、
前記ＣＰが前記３２Ｋ  ＦＦＴサイズ用のとき、前記３２Ｋ  ＦＦＴサイズの前記ＣＰ用のインデックスは、前記３２Ｋ  ＦＦＴサイズの前記ＣＰの第１インデックス及び前記３２Ｋ  ＦＦＴサイズの前記ＣＰの第２インデックスを含み、
前記第１インデックスは、前記３２Ｋ  ＦＦＴサイズの前記ＣＰの前記第２インデックスを反転及びシフトすることによって生成される、放送信号送信装置。
【請求項６】
前記反転及びシフトは、キャリアの数−１の整数に基づいて行われる、請求項５に記載の放送信号送信装置。
【請求項７】
放送信号受信装置であって、
少なくとも１つの信号フレームを有する放送信号を受信する受信機と、
ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式によって前記少なくとも１つの信号フレーム内のデータを復調するデモジュレータと、
ＤＰ（Ｄａｔａ  Ｐｉｐｅ）データを含む前記少なくとも１つの信号フレームをパーシングするフレームパーサーと、
前記ＤＰデータをタイムデインターリービングするタイムデインターリーバと、
前記タイムデインターリービングされたＤＰデータをデマッピングするデマッパーと、
前記デマッピングされたＤＰデータをビットデインターリービングするビットデインターリーバと、
前記ビットデインターリービングされたＤＰデータをＬＤＰＣ（Ｌｏｗｅｒ  Ｄｅｎｓｉｔｙ  Ｐａｒｉｔｙ  Ｃｈｅｃｋ）デコーディングするＬＤＰＣデコーダと、を含み、
ＦＦＴ（Ｆａｓｔ  Ｆｏｕｒｉｅｒ  Ｔｒａｎｓｆｏｒｍ）サイズに応じて、前記少なくとも１つの信号フレームの全てのシンボルにＣＰ（Ｃｏｎｔｉｎｕａｌ  Ｐｉｌｏｔ）が含まれ、前記ＦＦＴサイズは８Ｋ、１６Ｋ、又は３２Ｋサイズの１つであり、
前記ＣＰが前記３２Ｋ  ＦＦＴサイズ用のとき、前記３２Ｋ  ＦＦＴサイズの前記ＣＰ用のインデックスは、前記３２Ｋ  ＦＦＴサイズの前記ＣＰの第１インデックス及び前記３２Ｋ  ＦＦＴサイズの前記ＣＰの第２インデックスを含み、
前記第１インデックスは、前記３２Ｋ  ＦＦＴサイズの前記ＣＰの前記第２インデックスを反転及びシフトすることによって生成される、放送信号受信装置。
【請求項８】
前記反転及びシフトは、キャリアの数−１の整数に基づいて行われる、請求項７に記載の放送信号受信装置。